(57)【特許請求の範囲】
【請求項１】
情報を表示する単位となるセルが配列された領域と、少なくとも前記セル以外の画像が表示される画像領域と、を備えた情報コードを表示可能な表示部と、
前記表示部に表示された情報コードの全体の大きさ又は一部要素の大きさを変更する変更指示を受け付け可能な受付部と、
前記表示部にて情報コードが表示された後、前記受付部によって前記変更指示が受け付けられた場合に、前記変更指示の前に前記表示部に表示されていた情報コードの記録内容が少なくとも記録され且つ前記画像領域の画像が表された新たな情報コードを前記変更指示に応じた内容で生成する処理を行う生成部と、
を備え、
前記生成部は、
前記変更指示に応じた内容の前記新たな情報コードを生成する場合に、当該新たな情報コードでの情報コード全体に対する前記画像領域の割合を決定する割合決定部と、
前記割合決定部で決定された前記画像領域の割合に従い、前記変更指示に応じた内容となるように前記新たな情報コードの内部構成を決定する構成決定部と、
を有し、
前記表示部は、前記生成部によって前記新たな情報コードを生成する処理が行われた場合に、前記構成決定部によって決定された内部構成で前記新たな情報コードを表示し、
前記割合決定部は、前記変更指示の前に前記表示部に表示されていた情報コードよりも全体サイズ又は前記画像領域のサイズを大きくするサイズ拡大指示が前記受付部によって受け付けられた場合に、当該サイズ拡大指示の前に前記表示部に表示されていた情報コードでの情報コード全体に対する前記画像領域の割合よりも大きくするように、前記新たな情報コードでの情報コード全体に対する前記画像領域の割合を決定することを特徴とする情報コード表示装置。
【請求項２】
前記構造決定部は、情報コードの全体サイズを大きくする前記サイズ拡大指示が前記受付部によって受け付けられた場合に、当該サイズ拡大指示の前に前記表示部に表示されていた情報コードでの前記画像領域の大きさに対するセルの大きさの割合よりも、前記新たな情報コードでの前記画像領域の大きさに対するセルの大きさの割合のほうが小さくなるように、前記新たな情報コードでの内部構成を決定することを特徴とする請求項１に記載の情報コード表示装置。
【請求項３】
前記構成決定部は、前記サイズ拡大指示が前記受付部によって受け付けられた場合に、当該サイズ拡大指示の前に前記表示部に表示されていた情報コードでのセルの大きさと同じ大きさのセルを配列した構造とするように前記新たな情報コードでの内部構成を決定することを特徴とする請求項１に記載の情報コード表示装置。
【請求項４】
情報を表示する単位となるセルが配列された領域と、少なくとも前記セル以外の画像が表示される画像領域と、を備えた情報コードを表示可能な表示部と、
前記表示部に表示された情報コードの全体の大きさ又は一部要素の大きさを変更する変更指示を受け付け可能な受付部と、
前記表示部にて情報コードが表示された後、前記受付部によって前記変更指示が受け付けられた場合に、前記変更指示の前に前記表示部に表示されていた情報コードの記録内容が少なくとも記録され且つ前記画像領域の画像が表された新たな情報コードを前記変更指示に応じた内容で生成する処理を行う生成部と、
を備え、
前記生成部は、
前記変更指示に応じた内容の前記新たな情報コードを生成する場合に、当該新たな情報コードでの情報コード全体に対する前記画像領域の割合を決定する割合決定部と、
前記割合決定部で決定された前記画像領域の割合に従い、前記変更指示に応じた内容となるように前記新たな情報コードの内部構成を決定する構成決定部と、
を有し、
前記表示部は、前記生成部によって前記新たな情報コードを生成する処理が行われた場合に、前記構成決定部によって決定された内部構成で前記新たな情報コードを表示し、
前記割合決定部は、前記変更指示の前に前記表示部に表示されていた情報コードよりもサイズを小さくするサイズ縮小指示が前記受付部によって受け付けられた場合に、当該サイズ縮小指示の前に前記表示部に表示されていた情報コードでの情報コード全体に対する前記画像領域の割合よりも大きくするように、前記新たな情報コードでの情報コード全体に対する前記画像領域の割合を決定することを特徴とする情報コード表示装置。
【請求項５】
前記構造決定部は、前記サイズ縮小指示が前記受付部によって受け付けられた場合に、当該サイズ縮小指示の前に前記表示部に表示されていた情報コードのセルよりも小さいセルを配列した構造とするように前記新たな情報コードでの内部構成を決定することを特徴とする請求項４に記載の情報コード表示装置。
【請求項６】
前記構造決定部は、前記サイズ縮小指示が前記受付部によって受け付けられた場合に、当該サイズ縮小指示の前に前記表示部に表示されていた情報コードでの前記画像領域の大きさに対するセルの大きさの割合よりも、前記新たな情報コードでの前記画像領域の大きさに対するセルの大きさの割合のほうが小さくなるように、前記新たな情報コードでの内部構成を決定することを特徴とする請求項４に記載の情報コード表示装置。
【請求項７】
前記受付部は、所定の割合指定指示を受け付け可能とされており、
前記割合決定部は、前記受付部によって前記所定の割合指定指示が受け付けられた場合に、前記新たな情報コードでの情報コード全体に対する前記画像領域の割合を予め定められた所定の最大割合とすることを特徴とする請求項１から請求項６のいずれか一項に記載の情報コード表示装置。
【請求項８】
セルの行数及び列数の組み合わせが異なる複数種類の型番が用意されており、
前記構造決定部は、前記変更指示の前に前記表示部に表示されていた情報コードの記録内容と、前記変更指示とに基づいて新たな型番を決定し、その決定された型番と、前記割合決定部で決定された前記画像領域の割合とに基づいて前記新たな情報コードでの内部構成を決定することを特徴とする請求項１から請求項７のいずれか一項に記載の情報コード表示装置。
【請求項９】
前記変更指示の前に前記表示部に表示される情報コードは、前記コード領域の内部に、予め定められた形状の特定パターンが配置される特定パターン領域と、複数種類のセルによって解読対象データを表すデータ記録領域と、前記データ記録領域の誤り訂正を行うための誤り訂正データが記録される誤り訂正データ記録領域と、前記解読対象データが記録されず且つ前記データ記録領域の誤り訂正を行うための誤り訂正データが記録されない領域として構成される前記画像領域と、を設けた構成であり、
前記構造決定部は、前記コード領域の内部に、固定パターンが配置される第１領域と、前記データ記録領域に記録された前記解読対象データが少なくとも記録される第２領域と、前記第２領域の誤り訂正を行うための誤り訂正データが記録される第３領域と、前記解読対象データが記録されず且つ前記第２領域の誤り訂正を行うための誤り訂正データが記録されない領域として構成され、前記画像領域の画像を所定の方式で拡大又は縮小した画像が表される第４領域と、を設けた形で前記新たな情報コードの内部構成を決定することを特徴とする請求項１から請求項８のいずれか一項に記載の情報コード表示装置。
【請求項１０】
前記変更指示の前に前記表示部に表示される情報コードは、前記コード領域の内部に、予め定められた形状の特定パターンが配置される特定パターン領域と、複数種類のセルによって解読対象データを表すデータ記録領域と、前記データ記録領域の誤り訂正を行うための誤り訂正データが記録される誤り訂正データ記録領域と、前記誤り訂正データ記録領域のデータによって誤り訂正がされる領域として構成される前記画像領域と、を設けた構成であり、
前記構造決定部は、前記コード領域の内部に、固定パターンが配置される第１領域と、前記データ記録領域に記録された前記解読対象データが少なくとも記録される第２領域と、前記第２領域の誤り訂正を行うための誤り訂正データが記録される第３領域と、前記第３領域のデータによって誤り訂正がされる領域として構成され且つ前記画像領域の画像を所定の方式で拡大又は縮小した画像が表される第４領域と、を設けた形で前記新たな情報コードの内部構成を決定することを特徴とする請求項１から請求項８のいずれか一項に記載の情報コード表示装置。
【請求項１１】
前記生成部は、前記変更指示に応じた大きさの前記新たな情報コードを生成する場合に、前記変更指示に基づいて当該新たな情報コードでの誤り訂正率を決定する誤り訂正率決定部を備え、
前記構造決定部は、前記変更指示に基づいて前記誤り訂正率決定部によって決定された誤り訂正率に従って、前記新たな情報コードでの内部構成を決定することを特徴とする請求項１から請求項１０のいずれか一項に記載の情報コード表示装置。
【請求項１２】
前記構造決定部は、前記変更指示に応じて当該変更指示の前に前記表示部に表示されていた情報コードとは異なる大きさの前記新たな情報コードを生成する場合に、前記解読対象データと、前記解読対象データとは異なる所定のダミーデータと、を含んだデータを記録する形で前記第２領域を構成することを特徴とする請求項１から請求項１１のいずれか一項に記載の情報コード表示装置。
【発明の詳細な説明】
【技術分野】
【０００１】
本発明は、情報コード表示装置に関するものである。
【背景技術】
【０００２】
近年、情報コード自体の高機能化が進展しつつあり、コード領域内に写真や図などを配置するような技術も提案されている。例えば、特許文献１の技術では、２次元コードにおいて単一の値として読み取られる領域を形成するビット列を逆変換した逆変換ビット列を求め、逆変換ビット列を２次元コードのフォーマット情報に基づいて変換して２次元コードを生成することにより、単一の階調値から構成されたデザイン領域を有する特殊２次元コードを生成している。
【先行技術文献】
【特許文献】
【０００３】
【特許文献１】特許第５０５７５６０号公報
【発明の概要】
【発明が解決しようとする課題】
【０００４】
ところで、近年では、情報コードの用途が益々多様化しており、例えば、スマートフォンなどの電子端末に情報コードを表示させ、その情報コードを外部の読取装置に読み取らせるような使用方法も提案されている。この使用方法では、紙媒体などに情報コードを表す場合と異なり、情報コードを更に拡大して表示させたり、縮小して表示させたりすることを容易に行うことができるというメリットがある。例えば、スマートフォンにＱＲコード（登録商標）を表示させて用いる場合、必要に応じて表示部（タッチパネル）に対するタッチ操作（例えばピンチ操作など）を行い、ＱＲコード（登録商標）付近の画像を拡大したり、縮小したりして、適切なサイズに合わせることができる。
【０００５】
しかしながら、上述した従来のサイズ変更方法は、電子端末に表示されたコード領域全体を一体的に拡大したり縮小したりする方法であったため、セルと画像領域のバランスを変えたいユーザにとっては要望を十分に満たし得る方法ではなかった。例えば、画像領域をできるだけ大きくしたいがためにデザインコードを拡大したものの、セルサイズまでもが意図に反して大きく拡大されすぎてしまい、全体として見た目が悪くなってしまうといったことが生じやすかった。また、この例に限らず、既存のコード表示の変更方法では、コード全体に対する画像領域の割合が固定化された形で変更される、ユーザの要望に応えきれない場合があった。
【０００６】
本発明は、上述した課題を解決するためになされたものであり、表示部に表示された情報コードの全体サイズ又は一部要素のサイズを変更して新たな情報コードとして表示することができ、且つ、サイズ変更前の情報コードと、サイズ変更後の新たな情報コードとで、情報コード全体に対する画像領域の割合を変化させ得る構成を提供することを目的とする。
【課題を解決するための手段】
【０００７】
本発明は、情報を表示する単位となるセルが配列された領域と、少なくとも前記セル以外の画像が表示される画像領域と、を備えた情報コードを表示可能な表示部と、
前記表示部に表示された情報コードの全体の大きさ又は一部要素の大きさを変更する変更指示を受け付け可能な受付部と、
前記表示部にて情報コードが表示された後、前記受付部によって前記変更指示が受け付けられた場合に、前記変更指示の前に前記表示部に表示されていた情報コードの記録内容が少なくとも記録され且つ前記画像領域の画像が表された新たな情報コードを前記変更指示に応じた内容で生成する処理を行う生成部と、
を備え、
前記生成部は、
前記変更指示に応じた内容の前記新たな情報コードを生成する場合に、当該新たな情報コードでの情報コード全体に対する前記画像領域の割合を決定する割合決定部と、
前記割合決定部で決定された前記画像領域の割合に従い、前記変更指示に応じた内容となるように前記新たな情報コードの内部構成を決定する構成決定部と、
を有し、
前記表示部は、前記生成部によって前記新たな情報コードを生成する処理が行われた場合に、前記構成決定部によって決定された内部構成で前記新たな情報コードを表示し、
前記割合決定部は、前記変更指示の前に前記表示部に表示されていた情報コードよりも全体サイズ又は前記画像領域のサイズを大きくするサイズ拡大指示が前記受付部によって受け付けられた場合に、当該サイズ拡大指示の前に前記表示部に表示されていた情報コードでの情報コード全体に対する前記画像領域の割合よりも大きくするように、前記新たな情報コードでの情報コード全体に対する前記画像領域の割合を決定することを特徴とする。
【発明の効果】
【０００８】
請求項１の発明では、表示部に表示された情報コードの全体の大きさ又は一部要素の大きさを変更する変更指示を受け付けることができるようになっている。そして、変更指示に応じた内容の新たな情報コードを生成する場合に、当該新たな情報コードでの情報コード全体に対する画像領域の割合を決定する割合決定部と、割合決定部で決定された画像領域の割合に従い、変更指示に応じた内容となるように新たな情報コードの内部構成を決定する構成決定部とが設けられている。そして、表示部は、生成部によって新たな情報コードを生成する処理が行われた場合に、構成決定部によって決定された内部構成で新たな情報コードを表示する構成となっている。
この構成によれば、表示装置に表示された情報コードの全体の大きさ又は一部要素の大きさを変更する変更指示を当該表示装置に与えることにより、情報コードの全体サイズ又は一部要素のサイズを変更して新たな情報コードを生成・表示することができる。そして、新たな情報コードの生成・表示に際しては、情報コード全体に対する画像領域の割合を新たに決定した上で、その割合に従った内部構成とすることができるため、既存構成（例えば、サイズ変更時にコード全体に対する画像領域の割合が固定化され続ける構成）では成し得なかった形での斬新な表示変更が可能となる。
【０００９】
特に、割合決定部は、変更指示の前に表示部に表示されていた情報コードよりも全体サイズ又は画像領域のサイズを大きくするサイズ拡大指示が受付部によって受け付けられた場合に、当該サイズ拡大指示の前に表示部に表示されていた情報コードでの情報コード全体に対する画像領域の割合よりも大きくするように、新たな情報コードでの情報コード全体に対する画像領域の割合を決定する。
このように構成されているため、ユーザは、サイズ拡大指示を表示装置に与えることにより、その指示前に表示されていた情報コードよりも、全体サイズ又は画像領域のサイズを大きくした形で新たな情報コードを生成・表示させることができる。しかも、指示前に表示部に表示されていた情報コードでの情報コード全体に対する画像領域の割合よりも、新たな情報コードでの情報コード全体に対する画像領域の割合のほうが大きくなるように変更することができるため、画像領域をより大きく強調した形で情報コードを再構成することを望むユーザにとってメリットが非常に大きくなる。
【００１０】
請求項２の発明では、構造決定部は、情報コードの全体サイズを大きくするサイズ拡大指示が受付部によって受け付けられた場合に、当該サイズ拡大指示の前に表示部に表示されていた情報コードでの画像領域の大きさに対するセルの大きさの割合よりも、新たな情報コードでの画像領域の大きさに対するセルの大きさの割合のほうが小さくなるように、新たな情報コードでの内部構成を決定する。
この構成では、サイズ拡大指示がなされた場合に、画像領域の大きさに対してのセルの大きさの割合を小さくしているため、指示前のセル配列で表わされていたデータを表すためのセル配列領域を、指示前よりも小さく構成することができ、このようにデータに要する領域を抑えた分を、画像領域の拡大に割り当てやすくなる。よって、データの記録を担保しつつ画像領域を極力大きくしたい場合により有利になる。
【００１１】
請求項３の発明では、構成決定部は、サイズ拡大指示が受付部によって受け付けられた場合に、当該サイズ拡大指示の前に表示部に表示されていた情報コードでのセルの大きさと同じ大きさのセルを配列した構造とするように新たな情報コードでの内部構成を決定する。
この構成では、サイズ拡大指示がなされた場合に、セルの大きさは変えずにコードの全体サイズを大きくすることができるため、サイズの拡大によって広がったコード内部領域のより多くを、画像領域の拡大のために割り当てやすくなる。しかも、指示前の情報コードと、指示後の新たな情報コードとではセルサイズが同じであるため、変更の前後でセルサイズが予期しない大きさになるようなことがなく、セルの状態は極力変えずにコードの拡大及び画像領域の拡大を図りたい場合には、より有利になる。
【００１２】
請求項４の発明では、割合決定部は、変更指示の前に表示部に表示されていた情報コードよりもサイズを小さくするサイズ縮小指示が受付部によって受け付けられた場合に、当該サイズ縮小指示の前に表示部に表示されていた情報コードでの情報コード全体に対する画像領域の割合よりも大きくするように、新たな情報コードでの情報コード全体に対する画像領域の割合を決定する。
このように構成されているため、ユーザは、サイズ縮小指示を表示装置に与えることにより、その指示前に表示されていた情報コードよりも、全体サイズを小さくした形で新たな情報コードを生成・表示させることができる。また、コードを単に縮小するだけでは、画像領域が大幅に小さくなってしまうことが懸念されるが、本構成では、指示前に表示部に表示されていた情報コードでの情報コード全体に対する画像領域の割合よりも、新たな情報コードでの情報コード全体に対する画像領域の割合のほうが大きくなるように変更することができるため、コードサイズは小さくしつつも、画像領域については、できるだけ大きく強調した形で情報コードを再構成することが可能となる。
【００１３】
請求項５の発明では、構造決定部は、サイズ縮小指示が受付部によって受け付けられた場合に、当該サイズ縮小指示の前に表示部に表示されていた情報コードのセルよりも小さいセルを配列した構造とするように新たな情報コードでの内部構成を決定する。
この構成によれば、サイズ縮小指示がなされた場合にコード全体のサイズを変更して再表示することができ、その際には、新たな情報コードでのセルサイズをできるだけ小さくすることで画像領域の占有割合を高めることができる。
【００１４】
請求項６の発明では、構造決定部は、サイズ縮小指示が受付部によって受け付けられた場合に、当該サイズ縮小指示の前に表示部に表示されていた情報コードでの画像領域の大きさに対するセルの大きさの割合よりも、新たな情報コードでの画像領域の大きさに対するセルの大きさの割合のほうが小さくなるように、新たな情報コードでの内部構成を決定する。
この構成では、サイズ縮小指示に応じた新たな情報コード（全体サイズを縮小した情報コード）を生成・表示する際に、セルの縮小度合いを大きくし、画像領域の縮小度合いを抑えた形でのサイズ変更がなされるため、画像領域とセルの大きさの関係を一定に保ちながら縮小する場合と比較すると、画像領域の割合を確実に高めた形でのコードの縮小表示が可能となる。
【００１５】
請求項７の発明では、受付部は、所定の割合指定指示を受け付け可能とされており、割合決定部は、受付部によって所定の割合指定指示が受け付けられた場合に、新たな情報コードでの情報コード全体に対する画像領域の割合を予め定められた所定の最大割合とする。
このように構成されているため、所定の割合指定指示を表示装置に与えるという比較的簡易な指示により、画像領域の割合をより大きくした形での斬新な表示変更が可能となる。
【００１６】
請求項８の発明では、セルの行数及び列数の組み合わせが異なる複数種類の型番が用意されており、構造決定部は、変更指示の前に表示部に表示されていた情報コードの記録内容と、変更指示とに基づいて新たな型番を決定し、その決定された型番と、割合決定部で決定された画像領域の割合とに基づいて新たな情報コードでの内部構成を決定する。
このように、変更指示がなされた場合に、その変更指示に応じた新たな型番を決定した上で、新たな情報コードを生成・表示する構成とすれば、単にコード画像を全体的に拡大、縮小させるような既存方法では成し得ない細かな調整が可能となる。
【００１７】
請求項９の発明では、変更指示の前に表示部に表示される情報コードは、コード領域の内部に、予め定められた形状の特定パターンが配置される特定パターン領域と、複数種類のセルによって解読対象データを表すデータ記録領域と、データ記録領域の誤り訂正を行うための誤り訂正データが記録される誤り訂正データ記録領域と、解読対象データが記録されず且つデータ記録領域の誤り訂正を行うための誤り訂正データが記録されない領域として構成される画像領域と、を設けた構成であり、構造決定部は、コード領域の内部に、固定パターンが配置される第１領域と、データ記録領域に記録された解読対象データが少なくとも記録される第２領域と、第２領域の誤り訂正を行うための誤り訂正データが記録される第３領域と、解読対象データが記録されず且つ第２領域の誤り訂正を行うための誤り訂正データが記録されない領域として構成され、画像領域の画像を所定の方式で拡大又は縮小した画像が表される第４領域と、を設けた形で新たな情報コードの内部構成を決定する。
この構成によれば、変更前後のいずれの情報コードにおいても、画像が表示される領域を、解読対象データが記録されず且つ誤り訂正データが記録されない特殊な領域として表すことができ、画像の領域をより自由に構成し易くなる。そして、このように特徴的な情報コードを表示する構成において、画像領域の割合を変更するという斬新な表示変更が可能となる。
【００１８】
請求項１０の発明では、変更指示の前に表示部に表示される情報コードは、コード領域の内部に、予め定められた形状の特定パターンが配置される特定パターン領域と、複数種類のセルによって解読対象データを表すデータ記録領域と、データ記録領域の誤り訂正を行うための誤り訂正データが記録される誤り訂正データ記録領域と、誤り訂正データ記録領域のデータによって誤り訂正がされる領域として構成される画像領域と、を設けた構成であり、構造決定部は、コード領域の内部に、固定パターンが配置される第１領域と、データ記録領域に記録された解読対象データが少なくとも記録される第２領域と、第２領域の誤り訂正を行うための誤り訂正データが記録される第３領域と、第３領域のデータによって誤り訂正がされる領域として構成され且つ画像領域の画像を所定の方式で拡大又は縮小した画像が表される第４領域と、を設けた形で新たな情報コードの内部構成を決定する。
この構成によれば、変更前後のいずれの情報コードにおいても、画像が表示される領域を、誤り訂正データによって誤り訂正がなされる領域として表すことができる。よって、画像領域の分を誤り訂正データによって訂正するという既存の思想を生かしつつ、画像領域の割合を変更するという斬新な表示変更が可能となる。
【００１９】
請求項１１の発明では、生成部は、変更指示に応じた大きさの新たな情報コードを生成する場合に、変更指示に基づいて当該新たな情報コードでの誤り訂正率を決定する誤り訂正率決定部を備え、構造決定部は、変更指示に基づいて誤り訂正率決定部によって決定された誤り訂正率に従って、新たな情報コードでの内部構成を決定する。
このように、変更指示に応じて新たな情報コードを生成する際に誤り訂正率を新たに決定できる構成とすれば、誤り訂正率が変更前の構成に拘束されない形で、自由度の大きい且つ細かな調整が可能となる。
【００２０】
請求項１２の発明では、構造決定部は、変更指示に応じて当該変更指示の前に表示部に表示されていた情報コードとは異なる大きさの新たな情報コードを生成する場合に、解読対象データと、解読対象データとは異なる所定のダミーデータと、を含んだデータを記録する形で第２領域を構成する。
この構成によれば、大きさの変更によって空いたスペース（画像領域でもなく、解読対象データの記録領域でもない空いたスペース）が生じる場合であっても、そのスペースをダミーデータで埋めて体裁を整え、意匠性の低下を防ぐことができる。
【図面の簡単な説明】
【００２１】
【図１】図１は、第１実施形態に係る情報コード利用システムを概略的に例示する概略図である。
【図２】図２は、図１の情報コード利用システムを構成する情報コード読取装置の電気的構成を概略的に例示するブロック図である。
【図３】図３は、図１の情報コード利用システムで用いられる情報コードのデータ構成を概念的に説明する説明図である。
【図４】図４は、図１の情報コード利用システムで用いられる情報コードと対応する他種のコードを説明する説明図である。
【図５】図５は、図１の情報コード利用システムを構成する情報コード表示装置で生成される情報コードでの各データワードの配置と、他種のコードでの各データワードの配置との対応関係を説明する説明図である。
【図６】図６は、図１の情報コード利用システムで用いられる情報コードのフォーマットデータを概念的に説明する説明図である。
【図７】図７は、図１の情報コード利用システムを構成する情報コード表示装置で生成される情報コードでの各データワードの配置と、他種のコードでの各データワードの配置との対応関係を説明する説明図であり、図５とは異なる対応関係に変更した図である。
【図８】図８は、図１の情報コード利用システムを構成する情報コード表示装置での情報コードの生成の流れを例示するフローチャートである。
【図９】図９は、図１の情報コード利用システムを構成する情報コード読取装置での情報コードの読み取りの流れを例示するフローチャートである。
【図１０】図１０は、図１の情報コード利用システムを構成する情報コード表示装置での情報コードの表示処理の流れを例示するフローチャートである。
【図１１】図１１は、図１０の表示処理が行われているときの表示画面の例１を説明する説明図である。
【図１２】図１２（Ａ）は、表示画面に表示された情報コードの一例を示す説明図であり、図１２（Ｂ）は、内部画像の拡大を指示するサイズ拡大指示の後に再表示された情報コードの一例を示す説明図である。
【図１３】図１３（Ａ）は、表示画面に表示された情報コードの一例を示す説明図であり、図１３（Ｂ）は、画像全体をそのまま拡大するサイズ拡大指示の後に再表示された情報コードの一例を示す説明図である。
【図１４】図１４は、図１０の表示処理が行われているときの表示画面の例２を説明する説明図である。
【図１５】図１５（Ａ）は、表示画面に表示された情報コードの一例を示す説明図であり、図１５（Ｂ）は、内部画像の拡大を伴うサイズ縮小指示の後に再表示された情報コードの一例を示す説明図である。
【図１６】図１６（Ａ）は、表示画面に表示された情報コードの一例を示す説明図であり、図１６（Ｂ）は、画像全体をそのまま縮小するサイズ縮小指示の後に再表示された情報コードの一例を示す説明図である。
【図１７】図１７（Ａ）は、表示装置に表示される画像の一例を示す説明図であり、図１７（Ｂ）は、コード化する領域を選択する様子を説明する説明図である。
【図１８】図１８（Ａ）は、表示装置に表示された画像の中からコード化する領域を決めた様子を説明する説明図であり、図１８（Ｂ）は、その決定によって生成された情報コードを示す説明図である。
【図１９】図１９は、第２実施形態に係る情報コード利用システムで用いられる情報コードを説明する説明図であり、図１９（Ａ）は、空き領域を空白にした状態を示す図であり、図１９（Ｂ）は、空き領域に文字を記入した例を示す図である。
【図２０】図２０（Ａ）は、第２実施形態に係る情報コード利用システムにおいて表示画面に表示された情報コードの一例を、その情報コードに記録された内容と併せて説明する説明図であり、図２０（Ｂ）は、サイズ拡大指示の後に再表示された情報コードの一例を、その情報コードのに記録された内容と併せて説明する説明図である。
【図２１】図２１は、図１９の情報コードにおける解読対象データのデータ構成を概念的に示す説明図である。
【図２２】図２２は、第３実施形態に係る情報コード利用システムで用いられる情報コードを説明する説明図であり、図２２（Ａ）は、空き領域を空白にした状態を示す図であり、図２２（Ｂ）は、空き領域に文字を記入した状態を示す図である。
【図２３】図２３は、他の実施形態に係る情報コード利用システムで用いられる情報コードを説明する説明図である。
【図２４】図２４は、他の実施形態に係る情報コード利用システムで用いられる情報コードの別例を説明する説明図である。
【図２５】図２５は、他の実施形態に係る情報コード利用システムで用いられる情報コードの別例２を説明する説明図である。
【発明を実施するための形態】
【００２２】
[第１実施形態]
以下、本発明を具現化した第１実施形態について、図面を参照して説明する。
図１に示す情報コード利用システム１は、所定のコード領域の内部に情報を表示する単位となるセルを配列した情報コード１００を生成し、表示し得る情報コード表示装置２と、情報コード表示装置２によって生成された情報コード１００を読み取る情報コード読取装置１０とを備えた構成をなしている。
【００２３】
（情報コード表示装置）
情報コード表示装置２は、例えばパーソナルコンピュータ、スマートフォン、タブレット端末等の情報処理装置として構成されており、図１でしめすように、ＣＰＵなどからなる制御部３と、キーボード、マウス、その他の入力装置からなる操作部４と、ＲＯＭ、ＲＡＭ、ＨＤＤ、不揮発性メモリ等の記憶装置からなる記憶部５と、公知の表示装置（液晶ディスプレイやその他の表示デバイス）などからなる表示部６と、外部装置と有線通信或いは無線通信を行うための通信インタフェースとして機能する通信部７とを備えている。なお、図１等では図示していないが、表示装置２の内部又は表示装置２と通信可能な形で情報コードを印刷し得る印刷部が設けられていてもよい。
【００２４】
（情報コード読取装置）
次に、情報コード読取装置１０の全体構成について説明する。図２に示すように、情報コード読取装置１０は、ハードウェア的には二次元コードを読取可能なコードリーダとして構成されており、図示しないケース（筐体）によって外郭が構成され、このケース内に各種電子部品が収容された構成をなしている。
【００２５】
この情報コード読取装置１０は、主に、照明光源２１、受光センサ２３、フィルタ２５、結像レンズ２７等の光学系と、メモリ３５、制御回路４０、操作スイッチ４２、液晶表示器４６等のマイクロコンピュータ（以下「マイコン」という）系と、電源スイッチ４１、電池４９等の電源系と、から構成されている。なお、これらは、図略のプリント配線板に実装あるいはケース（図示略）内に内装される構成で、ケース（筐体）に一体的に組み付けられている。
【００２６】
光学系は、照明光源２１、受光センサ２３、フィルタ２５、結像レンズ２７等から構成されている。照明光源２１は、照明光Ｌｆを発光可能な照明光源として機能するもので、例えば、赤色のＬＥＤとこのＬＥＤの出射側に設けられる拡散レンズ、集光レンズ等とから構成されている。本実施形態では、受光センサ２３を挟んだ両側に照明光源２１が設けられており、ケースに形成された読取口（図示略）を介して読取対象物Ｒに向けて照明光Ｌｆを照射可能に構成されている。この読取対象物Ｒとしては、例えば、樹脂材料、金属材料等の様々な対象が考えられ、このような読取対象物Ｒに例えば図１のような情報コード１００（後述）が印刷などによって形成されている。
【００２７】
受光センサ２３は、情報コード１００（後述）を撮像可能な「撮像部」の一例に相当し、読取対象物Ｒや情報コード１００に照射されて反射した反射光Ｌｒを受光可能に構成されるもので、例えば、Ｃ−ＭＯＳやＣＣＤ等の固体撮像素子である受光素子を２次元に配列したエリアセンサが、これに相当する。この受光センサ２３は、結像レンズ２７を介して入射する入射光を受光面２３ａで受光可能に図略のプリント配線板に実装されている。
【００２８】
フィルタ２５は、例えば反射光Ｌｒの波長相当以下の光の通過を許容し、当該波長相当を超える光の通過を遮断し得る光学的なローパスフィルタで、ケースに形成された読取口（図示略）と結像レンズ２７との間に設けられている。これにより、反射光Ｌｒの波長相当を超える不要な光が受光センサ２３に入射することを抑制している。また、結像レンズ２７は、例えば、鏡筒とこの鏡筒内に収容される複数の集光レンズとによって構成されており、本実施形態では、ケースに形成された読取口（図示略）に入射する反射光Ｌｒを集光し、受光センサ２３の受光面２３ａに情報コード１００のコード画像を結像するように構成されている。
【００２９】
マイコン系は、増幅回路３１、Ａ／Ｄ変換回路３３、メモリ３５、アドレス発生回路３６、同期信号発生回路３８、制御回路４０、操作スイッチ４２、ＬＥＤ４３、ブザー４４、液晶表示器４６、通信インタフェース４８等から構成されている。このマイコン系は、マイコン（情報処理装置）として機能し得る制御回路４０及びメモリ３５を中心として構成され、前述した光学系によって撮像された情報コード１００の画像信号をハードウェア的およびソフトウェア的に信号処理し得るものである。
【００３０】
光学系の受光センサ２３から出力される画像信号（アナログ信号）は、増幅回路３１に入力されることで所定ゲインで増幅された後、Ａ／Ｄ変換回路３３に入力され、アナログ信号からディジタル信号に変換される。そして、ディジタル化された画像信号、つまり画像データ（画像情報）は、メモリ３５に入力され、当該メモリ３５の画像データ蓄積領域に蓄積される。なお、同期信号発生回路３８は、受光センサ２３およびアドレス発生回路３６に対する同期信号を発生可能に構成されており、またアドレス発生回路３６は、この同期信号発生回路３８から供給される同期信号に基づいて、メモリ３５に格納される画像データの格納アドレスを発生可能に構成されている。
【００３１】
メモリ３５は、半導体メモリ装置などによって構成され、例えばＲＡＭ（ＤＲＡＭ、ＳＲＡＭ等）やＲＯＭ（ＥＰＲＯＭ、ＥＥＰＲＯＭ等）等がこれに相当する。このメモリ３５のうちのＲＡＭには、前述した画像データ蓄積領域のほかに、制御回路４０が算術演算や論理演算等の各処理時に利用する作業領域や読取条件テーブルも確保可能に構成されている。またＲＯＭには、後述する読取処理等を実行可能な所定プログラムやその他、照明光源２１、受光センサ２３等の各ハードウェアを制御可能なシステムプログラム等が予め格納されている。
【００３２】
制御回路４０は、情報コード読取装置１０全体を制御可能なマイコンで、ＣＰＵ、システムバス、入出力インタフェース等からなるものであり、情報処理機能を有している。この制御回路４０には、内蔵された入出力インタフェースを介して種々の入出力装置（周辺装置）が接続されており、本実施形態の場合、電源スイッチ４１、操作スイッチ４２、ＬＥＤ４３、ブザー４４、液晶表示器４６、通信インタフェース４８等が接続されている。
【００３３】
電源系は、電源スイッチ４１、電池４９等により構成されており、制御回路４０により管理される電源スイッチ４１のオンオフによって、上述した各装置や各回路に、電池４９から供給される駆動電圧の導通や遮断が制御されている。なお、電池４９は、所定の直流電圧を発生可能な２次電池で、例えば、リチウムイオン電池等がこれに相当する。
【００３４】
（情報コード）
次に、図１の情報コード利用システムで利用される情報コード１００について、図１、図５等を参照して説明する。なお、図１の例と図５右図の例では、セル配列や特定パターンのサイズ等が若干異なるが基本的な考えは同様であり、同様の特徴を有している。図１、図５等に示す情報コード１００は、例えば上述の情報コード表示装置２によって生成されるものであり、所定のコード領域の内部に情報を表示する単位となるセル１０２を配列した構成となっている。なお、図１、図５等の情報コード１００において、「コード領域」は、複数配列された暗色セルを全て含み得る矩形状の領域であり、情報コード１００を構成するセルを全て含む最小の正方形領域又は長方形領域となっている。具体的には、３つの位置検出パターン（切り出しシンボル）１０４を全て含む最小の正方形領域又は長方形領域となっている。なお、図１、図５等の例では、複数のセル１０２が、矩形状（例えば外径が正方形状）の明色（白色）セル及び暗色（黒色）セルのいずれかによって構成されており、コード領域の内部において後述する空き領域１１０の周囲にこれらセル１０２がマトリックス状に配置されている。明色セル及び暗色セルは、それぞれ白色セル、黒色セルに限られるものではなく、暗色セルが所定の明度で構成される場合、明色セルはそれよりも明度が高ければよい。また、情報コード１００において上記コード領域の周囲には、当該コード領域を取り囲むように明色又は暗色のマージン領域が構成されるようになっており、図１、図５等の例では、明色（例えば、白色或いは暗色セルよりも明度の大きい他色）のマージン領域がコード領域の周囲に隣接して配置されている。
【００３５】
この情報コード１００は、矩形状（例えば、正方形状或いは長方形状等）のコード領域の内部に、予め定められた形状の特定パターンが配置される特定パターン領域と、複数種類のセル１０２によってデータを記録するデータ記録領域と、複数種類のセル１０２によって誤り訂正符号を記録する誤り訂正符号記録領域とが設けられている。図１、図５等のように、情報コード１００の特定パターンは、例えば、ＱＲコード（登録商標）の公知の所定型番（図５の例では、ＪＩＳ等で規格化されたＱＲコードの所定型番）の特定パターンと同一の形状及び位置となっており、図１、図５等の例では、コード領域の３つの角部にそれぞれ、特定パターンとしての位置検出パターン（切り出しシンボル）１０４が配置されている。また、上記所定型番において予め定められた位置に、特定パターンとしてのタイミングパターン１０６やアライメントパターン１０８も設けられている。このように、情報コード１００では、予め定められた位置に決まった形状の特定パターン（位置検出パターン１０４、タイミングパターン１０６、アライメントパターン１０８（図５では省略））が配置されるようになっている。なお、コード領域の内部において、後述する空き領域１１０以外の位置は、このような特定パターンの領域、記録領域（データ記録領域及び誤り訂正符号記録領域のいずれかからなる領域）などによって構成されている。
【００３６】
情報コード１００のセルの行数及び列数、特定パターンの形状及び位置、フォーマット情報の位置、コードワードの候補位置（コードワードの配置順序を特定するアドレス）等は読取装置がどのような方法で把握してもよい。例えば、情報コード１００の種別において複数の型番が設けられていてもよく、この場合、型番毎にセルの行数及び列数、特定パターンの形状及び位置、フォーマット情報の位置、コードワードを配置する候補位置（アドレス）が予め定められていればよい。そして、上記型番を特定する型番情報がコード領域内の決められた位置（予約領域）に配置されていれば、読取装置はこの型番情報に基づいて情報コード１００のセルの行数及び列数、特定パターンの形状及び位置、フォーマット情報の位置、コードワードの候補位置（アドレス）を把握できるようになる。なお、この方法に限定されるものではなく、読取装置が把握し得る方法であれば他の方法でもよい。
【００３７】
そして、コード領域の内部において、特定パターン領域、データ記録領域、誤り訂正符号記録領域以外の位置には、セル１０２によってデータが記録されない領域であり且つ誤り訂正符号による誤り訂正の対象にならない領域である空き領域１１０が、単一のセル１０２のサイズよりも大きいサイズで設けられている。なお、図１、図５等の例では、データ記録領域、誤り訂正符号記録領域がコード領域の周縁に沿って環状且つ矩形状に配置されており、コード領域の中央部（コード領域の中心を含む所定領域）に空き領域１１０が構成されている。なお、「セル１０２によってデータが記録されない領域」とは、即ち、後述するデータコードワードや誤り訂正コードワードなどのコードワードが記録されない領域であり、且つフォーマット情報が記録されない領域であることを意味する。また、「誤り訂正符号による誤り訂正の対象にならない領域」とは、即ち、誤り訂正符号記録領域に記録された誤り訂正符号を用いた誤り訂正が行われない領域であることを意味する。従って、空き領域１１０に何らかの情報（後述する追加情報等）が記録されていても、空き領域１１０の周囲に存在する誤り訂正符号記録領域の誤り訂正符号によってその情報に対する誤り訂正がなされることはない。
【００３８】
なお、以下の説明では、図５右図のような上記所定型番に対応する構成と、図５左図のような所定型番よりもサイズが小さい別の型番（Ｖｅｒ．番号）とが対応付けられ、図５右図の情報コード１００の各コードワードの位置と、図５左図の他種コード１２０の各コードワードの位置とが図５下図のような配置変換表によって対応付けられている例を代表例として説明する。この例では、図５左図の他種コード１２０で格納し得るデータ量であれば、図５右図のような情報コード１００により空き領域１１０を設けた上で表現できるようになっている。逆に、図５右図の情報コード１００を読み取る場合には、情報コード１００の各コードワードを、図５左図のような他種コード１２０のコードワードとして読み取ることができるようになっている。
【００３９】
また、図５右図では、空き領域１１０の周囲に配置される各コードワードの領域を破線枠等によって概念的に示している。また、フォーマット情報を記録する領域（所定位置１０５）は、所定種類のハッチングにて概念的に示している。なお、図５右図では、フォーマット情報を記録する領域や、コードワードを記録する領域では、升目のみを示し、明色セルや暗色セルの具体的配列を省略して示している。また、図５右図の例では、セル配列と対応付けるべく空き領域１１０（コード領域の中央部分）の内部にも升目を付しているが、空き領域１１０の構成は自由であり、図１のように構成してもよく、その他の構成であってもよい。
【００４０】
フォーマット情報（形式情報）は、例えば図６のように構成されて情報コード１００内の所定位置１０５（所定種類のハッチング位置）に特定のフォーマット構成で記録されている。このフォーマット情報は、誤り訂正レベルを特定する訂正レベル情報と、マスク番号を特定するマスク番号情報とを含んでいる。訂正レベル情報は、情報コード１００で用いる誤り訂正レベルを特定する情報であり、例えば他種コード１２０に変換して読み取る場合の当該他種コード１２０で用いる誤り訂正レベルにも相当する。また、マスク番号は、情報コード１００のコードワード領域（データコードワードや誤り訂正コードワードが記録されている領域）にかけられているマスクがどのマスク種別であるかを特定する情報である。
【００４１】
図６に示すようにフォーマット情報は、所定種類のマスクパターン（特定マスク）を反映した状態で記録されており、公知のＱＲコードと同様の方法でフォーマット情報のマスク種別を識別することで、図５右図に示すような特定のコード種別（空き領域１１０を設けた種別）であることを検出できるようになっている。公知規格のＱＲコードでは、例えばモデル１として構成する場合には、図６のようなフォーマット情報に対してモデル１用のマスクをかけたときに表現されるデータ（セル配列）を所定位置に記録し、モデル２として構成する場合には、図６のようなフォーマット情報に対してモデル２用のマスクをかけたときに表現されるデータ（セル配列）を所定位置に記録するようになっている。一方、図５に示す本実施形態の情報コード１００（空き領域１１０を有する特別種類のコード）では、図６のようなフォーマット情報に対してモデル１、２とは異なる種類の特定マスク（図６ではフレームＱＲ用と例示）をかけたときに表現されるデータ（セル配列）を所定位置１０５に記録するようになっている。そして、公知規格のモデル１及びモデル２、情報コード１００の種別のいずれの場合でも、記録する訂正レベル（訂正レベル情報）及びマスク番号（マスク番号情報）に対応するチェックデジットが付された上でフォーマット情報が構成されており、その上で各種別用のマスクがかけられるようになっている。具体的には、各種別用のマスクパターンを用いて公知の方法でマスク処理が行われ、マスク処理後のビットパターンが所定位置１０５に記録されるようになっている。従って、情報コード１００のようにフォーマット情報に対して特定マスク（図６ではフレームＱＲ用と例示）をかけた上で所定位置１０５に記録する場合、このように所定位置１０５に記録された情報を上記特定マスクに基づいてマスク処理を解除して解読すればチェックデジットが合うため、情報コード１００の種別であることを特定することができる。逆に、情報コード１００の所定位置１０５のデータを、モデル１やモデル２のマスクに基づいてマスクを外しても、チェックデジットが合わなくなるため、公知規格のモデル１やモデル２でないことを特定することができる。
【００４２】
この情報コード１００では、特定パターン（位置検出パターン１０４等）を検出し、公知のＱＲコードと同様の方法でコード領域、コードの向き、各セル位置を特定した後、公知のＱＲコードと同様の方法でフォーマット情報が記録された所定位置１０５を解読することで、解読時に成功したマスクの種別により情報コード１００の種別（空き領域１１０を有する特別種類）であることを特定することができる。そして、解読されたフォーマット情報により、情報コード１００で用いる誤り訂正レベルを特定でき、且つ情報コード１００のコードワード領域（セルによってデータコードワードや誤り訂正コードワードが記録されている領域）にかけられているマスク種別を特定できるようになっている。
【００４３】
情報コード１００に記録する内容は、例えば、図３のような構成をなしており、データ配列の先頭部分にヘッダデータ（フレームＱＲ用ヘッダー）が設定され、ヘッダデータの後に入力データ（解読対象データ）が続くようになっている。図３の例では、入力データ（解読対象データ）については、例えば公知の方法で圧縮し、データワード（データコードワード）に変換しているが、このような圧縮を行わなくてもよい。なお、情報コード１００で用いるヘッダデータは、以降の説明では、「フレームＱＲ用ヘッダー」とも称する。また、本明細書では、このようなヘッダデータ及び入力データ（解読対象データ）のデータワード（データコードワード）を記録する領域、及び上述のフォーマット情報を記録する領域が「データ記録領域」に相当する。また、図３の例では、ヘッダデータ（フレームＱＲ用ヘッダー）として、後述する他種コード１２０（情報コード１００を解読するために用いるコード種別であり、配置変換表（図５）によって情報コード１００と対応付けられたコード）の種別（型番）を特定し得る情報（図３では、Ｖｅｒ．番号と例示）や、空き領域内の形式を特定し得る識別情報が記録されている。なお、図３の例では、ヘッダデータとして、他種コードの種類（Ｖｅｒ．番号）に加え、空き領域１１０の形式が図１、図５、図１０等に示す画像形式であることを特定する情報（第１情報）と、空き領域１１０内での画像の位置（画像領域位置）を特定し得る情報（第２情報に相当する「画像領域位置情報」）とが記録されている。このうち、空き領域１１０の形式が画像形式であることを特定する情報（第１情報）は、画像領域の存在を示す「識別情報」の一例に相当する。また、空き領域内での画像の位置（画像領域位置）を特定し得る情報（第２情報）は、画像領域のコード領域内での位置を示す「位置データ」の一例に相当する。
【００４４】
本構成では、空き領域１１０が画像領域１２１として機能している。従って、以下の説明では、空き領域１１０を画像領域１２１ともいう。図３、図５の例では、画像領域１２１の列位置及び行位置を特定し得る情報が画像領域位置情報（位置データ）として記録されている。より具体的には、図５に示すような矩形状に構成される情報コード１００を複数行且つ複数列に格子状に分割したときの画像領域１２１の左上の行位置及び列位置の組み合わせと、画像領域１２１の右下の行位置及び列位置の組み合わせとが画像領域位置情報（位置データ）として記録されている。なお、ここでは、画像領域１２１の左上の行位置及び列位置の組み合わせと、画像領域１２１の右下の行位置及び列位置の組み合わせを画像領域位置情報（位置データ）としているが、画像領域１２１の四隅の各位置における行位置及び列位置の組み合わせを画像領域位置情報（位置データ）としてもよい。また、図５のように情報コード１００を格子状に分割したときの各行及び各列の幅は、それぞれ単一のセルの行方向の幅及び列方向の幅に相当している。
【００４５】
そして、入力データ（解読対象データであるデータワード）の後には誤り訂正符号となる誤り訂正コードワード（ＥＣＣワード）が続いている。情報コード１００では、この誤り訂正符号を記録する領域が誤り訂正符号記録領域となる。なお、データワード（図３の例ではヘッダデータ及び入力データ（解読対象データ））に基づいて誤り訂正符号（誤り訂正コードワード）を生成する方法は、公知の二次元コード（ＱＲコード等）の規格で定められた方法などを用いることができる。例えば、データワード（データコードワード）に基づいて誤り訂正コードワードを生成する方法として、ＪＩＳＸ０５１０：２００４に規定された誤り訂正コード語の生成方法（ＪＩＳＸ０５１０：２００４、８．５誤り訂正）などを用いることができる。なお、誤り訂正コードワードの生成方法はこれに限られず、公知の様々な方法を用いることができる。
【００４６】
また、情報コード１００では、解読対象データを表現する各データワード（データコードワード）や誤り訂正コードワードが予め定められた配置位置情報に基づいてコード領域内に配置されている。本構成では、図５のように、情報コード１００のコード領域内において予め各コードワードの配置候補位置が定められており、各配置候補位置にそれぞれ番号（アドレス）が割り当てられている。そして、配置位置情報は、図３に示す記録内容を構成する各コードワードをそれぞれどの配置候補位置に配置すべきかを特定する情報となっている。なお、図５右図の例では、１〜２５番の配置候補位置を概略的に例示しており、各配置候補位置では、先頭と最後のビット部分に番号を付して明示している。また、図５右図では、２６番以降の配置候補位置は省略している。
【００４７】
具体的には、他種コード１２０（公知のＱＲコード）の型番（図３に示すヘッダデータで特定される他種コード１２０の型番）では、各順番のコードワードを他種コード１２０内のどの位置に配置すべきかが公知規格等により予め定められており、他種コード１２０を解読する場合にはこのように定められた配置に基づいて各順番のコードワードを解読する。例えば、図５左図に示す他種コード１２０の例では、０番目のコードワードを右下に配置し、１番目のコードワードをその上に配置し、２番目のコードワードをその上に配置するといった具合に各コードワードの配置位置が予め決められている。従って、この他種コード１２０を解読する場合には、このように決められた配置に基づいて０番目のコードワード、１番目のコードワード、２番目のコードワード、３番目のコードワード・・・といった具合に順番に解読することになる。
【００４８】
一方、図５に示す配置位置情報（配置変換表）では、このように他種コード１２０で予め定められた各配置位置（各順番のコードワードの配置位置）の番号を、情報コード１００において予め定められた候補位置（各コードワードの配置候補位置）の番号にそれぞれ対応付けている。具体的には、「他種コード１２０における１番目のコードワードの配置位置が情報コード１００の１番目の配置候補位置に相当」、「他種コード１２０における２番目のコードワードの配置位置が情報コード１００の２番目の配置候補位置に相当」、「他種コード１２０における３番目のコードワードの配置位置が情報コード１００の３番目の配置候補位置に相当」といった情報が、例えばテーブルデータなどとしてそれぞれ記録されており、他種コード１２０における各番号のコードワードの配置位置を、情報コード１００の各配置候補位置にそれぞれ対応付けている。このように構成されているため、情報コード１００を解読する場合には、コード領域内の各配置候補位置のコードワード（各アドレスのコードワード）を配置位置情報（配置変換表）で対応付けられた他種コード１２０の各配置位置にそれぞれ配置し直し、このように配置し直された他種コード１２０を公知の方法で解読すれば良い。例えば、図５下図に示す配置変換表を用いて情報コード１００の解読を行う場合、情報コード１００の１番目の配置候補位置のコードワードを他種コード１２０における１番目のコードワードの配置位置に配置し、情報コード１００の２番目の配置候補位置のコードワードを他種コード１２０における２番目のコードワードの配置位置に配置し、情報コード１００のＮ番目の配置候補位置のコードワードを他種コード１２０において当該Ｎ番目の配置候補位置に対応付けられているＭ番目のコードワードの配置位置に配置するといった具合にそれぞれ配置し直した上で、このように配置し直された他種コード（ＱＲコード）を公知の方法で解読すればよい。なお、上述の配置位置情報（配置変換表）については、情報コード１００を生成する情報コード表示装置２及び情報コード１００を読み取る情報コード読取装置１０に共通のデータ（共通の配置変換表）がそれぞれ設けられていることが望ましい。
【００４９】
なお、図５のように設定した配置変換表における対応関係は、図７のように任意に変更することができる。例えば、情報コード表示装置２、情報コード読取装置１０において図５のように設定されていた配置変換表を図７のように変更した場合、生成される情報コード１００では、２２〜２３番目のコードワードの配置が、図５右図のような配置（２２〜２３番の配置候補位置に記録する配置）から図７右図のような配置（４２〜４３番の配置候補位置に記録する配置）に変更され、これにより空き領域１１０の位置や形状も変化することになる。この場合、２２〜２３番の配置候補位置は空き領域としてもよく、他のコードワードの配置位置としてもよい。つまり、この構成では、配置変換表を調整することで空き領域１１０の位置や形状を調整することができ、空き領域を構成する上での自由度をより高めることができる。
【００５０】
（情報コードの生成処理）
次に、図８等を参照し、上述した情報コードを生成するための基本的な処理について説明する。以下では、図５のように他種コード１２０がＱＲコード（登録商標）であり、情報コード１００がＱＲコードと同様の特定パターンを有する場合を例に挙げて説明する。なお、この例では、空き領域１１０を有する情報コード１００を「フレームＱＲ」とも称する。
【００５１】
図８の情報コード生成処理は、例えば、情報コード生成装置として機能する情報コード表示装置２によって行われる処理である。表示装置２によって図８の処理を行う構成では、例えば、操作部４に対する所定操作がなされたときに図８の処理が実行される。この処理では、まず、外部からコード化するデータ（解読対象データ）と、属性データと、コード種別データ（情報コード１００を生成するか、一般的な二次元コード（例えば一般的なＱＲコード）を生成するかを特定するデータ）を取得する（Ｓ１）。なお、本構成では、制御部３、操作部４が「データ取得部」の一例に相当し、解読対象データ（外部からの入力データ）を取得するように機能する。また、このような例に限らず、例えば、制御部３と通信部７が「データ取得部」として構成され、外部から通信によって入力されるデータを解読対象データとして取得するように機能してもよい。
【００５２】
Ｓ１でデータを取得した後には、その取得したデータを圧縮する方法を公知の方法で定め（Ｓ２）、入力データを圧縮したデータ（解読対象データ）を複数のデータワード（データコードワード）で表現する（Ｓ３）。そして、Ｓ３の後には、Ｓ１で取得されたコード種別データが、空き領域１１０を有する情報コード１００の種別（フレームＱＲ）であるか否かを判断する。Ｓ１で取得されたコード種別データが、空き領域１１０を有する情報コード１００の種別（フレームＱＲ）である場合には、Ｓ４にてＹｅｓに進み、空き領域１１０を有する情報コード１００の種別（フレームＱＲ）で用いられる特有のヘッダデータ（上述）を生成し、図３のように複数のデータワードを含んだデータ配列の先頭にセットする（Ｓ５）。図３のヘッダデータには、上述したように、図５右図に示す他種コード１２０の種別（型番）を特定し得る情報（バージョン番号情報等）と、空き領域１１０の形式が画像形式であることを特定する情報（第１情報）と、空き領域１１０内での画像領域（書き込み可能位置）を特定し得る情報（第２情報に相当する「画像領域位置情報」）とが記録されることになる。一方、Ｓ１で取得されたコード種別データが、空き領域１１０を有する情報コード１００の種別（フレームＱＲ）でない場合（一般的な二次元コードを選択するデータ（例えば、モデル１又はモデル２を選択するデータ）である場合）には、Ｓ４にてＮｏに進む。
【００５３】
Ｓ４でＮｏに進む場合、Ｓ３で生成されたデータワード（データコードワード）の構成に基づいて公知の方法で誤り訂正符号を生成し、この誤り訂正符号を表現する複数の誤り訂正ワード（誤り訂正コードワード）を生成する（Ｓ６）。一方、Ｓ４からＳ５に進む場合、Ｓ３、Ｓ５で生成された最終的なデータワード（ヘッダデータ及び入力データを表現する複数のデータコードワード）の構成に基づいて公知の方法で誤り訂正符号を生成し、この誤り訂正符号を表現する複数の誤り訂正ワード（誤り訂正コードワード）を生成する（Ｓ６）。
【００５４】
Ｓ６の後には、Ｓ１で取得されたコード種別データが、空き領域１１０を有する情報コード１００の種別（フレームＱＲ）であるか否かを判断し（Ｓ７）、Ｓ１で取得されたコード種別データが、空き領域１１０を有する情報コード１００の種別（フレームＱＲ）でない場合には、Ｓ７にてＮｏに進み、公知の方法で二次元コード（例えばＱＲコード）を生成することになる。Ｓ７でＮｏに進む場合、Ｓ３で生成されたデータワード（データコードワード）及びＳ６で生成された誤り訂正ワード（誤り訂正コードワード）を格納しうるサイズの二次元コードの型番（この例では、規格化された公知のＱＲコードの複数の型番において、Ｓ３で生成されたデータワード及びＳ６で生成された誤り訂正ワードを格納しうるサイズの型番）を決定し、当該型番で予め定められた配置パターンに従い、Ｓ３で生成されたデータワード及びＳ６で生成された誤り訂正ワードを配置する（Ｓ９）。
【００５５】
一方、Ｓ１で取得されたコード種別データが、空き領域１１０を有する情報コード１００の種別（フレームＱＲ）である場合には、Ｓ７にてＹｅｓに進み、Ｓ３、Ｓ５で生成されたデータワード（データコードワード）と、Ｓ６で生成された誤り訂正ワード（誤り訂正コードワード）と、空き領域と、を格納しうる情報コード１００の型番を決定する（Ｓ１０）。なお、空き領域のサイズは、予め定められた一定サイズであってもよく、Ｓ１０の前段階でユーザが入力などによって指定してもよい。また、空き領域のサイズは、行数及び列数で特定してもよく、何ワード分に相当するか、あるいは何セル分に相当するか等の情報によって特定してもよい。図５、図８の例では、例えば情報コード１００の種別で予め定められた複数の型番（サイズ）において、Ｓ３、Ｓ５で生成されたデータワード（データコードワード）、Ｓ６で生成された誤り訂正ワード（誤り訂正コードワード）、及び空き領域を格納しうるサイズの型番を決定することになる。なお、情報コード１００の種別で複数の型番を使用可能とする場合、各型番毎に、行数及び列数、特定パターンの形状及び配置、フォーマットデータの配置、各コードワードの配置候補位置をそれぞれ定めておけばよい。また、いずれの型番でも、図５右図のように外周側から順番に各コードワードの配置候補位置を定めるようにし（例えば、外周側から内側に渦巻き状に配置候補位置を順番に設定し）、番号が若い配置候補位置ほど外側とするように各コードワードの配置候補位置を定め、用意された配置候補位置の内、コードワードが配置されない部分（即ち、使用されない部分）については、空き領域として用いるようにすれば、中央部により広い空き領域を確保し易くなる。また、Ｓ３、Ｓ５で生成されたデータワード（データコードワード）、Ｓ６で生成された誤り訂正ワード（誤り訂正コードワード）、及び空き領域を格納しうるサイズの型番が複数存在する場合には、その中から一番小さい型番（サイズ）を決定するようにしてもよく、ユーザがその中からいずれかの型番（サイズ）を指定できるようにしてもよい。そして、情報コード１００を生成する際には、このように決定された型番において予め定められたサイズ（行数及び列数）、特定パターンの配置、コードワードの各配置候補位置を用いると共に、具体的な各コードワードの配置位置は、上述の配置変換表に従って決定することになる。なお、以下では、Ｓ１０において図５右図のような型番が決定された例について具体的に説明する。
【００５６】
Ｓ１０の後には、Ｓ３、Ｓ５で生成されたデータワード（データコードワード）及びＳ６で生成された誤り訂正ワード（誤り訂正コードワード）を上述の配置位置情報（配置変換表）に基づいて配置することになる。情報コード表示装置２では、上述の配置位置情報（配置変換表）が記憶部５に記憶されており、この配置変換表では、上述したように他種コード１２０で定められた各配置位置（各順番のコードワードの配置位置）を、情報コード１００において予め定められた候補位置（各コードワードの配置候補位置）にそれぞれ対応付けている。Ｓ１１の処理では、記録すべきコードワード（Ｓ３、Ｓ５で生成されたデータワード（データコードワード）及びＳ６で生成された誤り訂正ワード（誤り訂正コードワード））を、図４、図５左図で示す他種コード１２０（情報コード１００よりもサイズが小さく、且つＳ３、Ｓ５で生成されたデータワード及びＳ６で生成された誤り訂正ワードを格納し得るサイズの二次元コード）で表現するときの各コードワード（各順番のコードワード）の配置位置を特定した上で、それら各順番のコードワードを、配置位置情報（配置変換表）によって各順番のコードワードの配置位置に対応付けられている情報コード１００内の各配置候補位置に配置する。例えば、図５の配置位置情報（配置変換表）では、他種コード１２０での１番目のコードワードの配置位置と、情報コード１００の１番の配置候補位置とが対応付けられているため、記録すべきコードワード（Ｓ３、Ｓ５で生成されたデータワード及びＳ６で生成された誤り訂正ワード）の内の１番目のコードワードについては情報コード１００内の１番の配置候補位置に配置する。また、他種コード１２０での２番目のコードワードの配置位置と、情報コード１００の２番の配置候補位置とが対応付けられているため、記録すべきコードワードの内の２番目のコードワードについては情報コード１００内の２番の配置候補位置に配置する。このように、記録すべきコードワードにおいてＮ番目のコードワードを配置する他種コード１２０での配置位置（Ｎ番目のコードワードの配置位置）と、情報コード１００のＭ番の配置候補位置とが対応付けられていれば、記録すべきコードワードの内のＮ番目のコードワードについては情報コード１００内のＭ番の配置候補位置に配置することになる。
【００５７】
つまり、Ｓ３、Ｓ５で生成されたデータワード及びＳ６で生成された誤り訂正ワードだけなら、情報コード１００よりも小サイズの他種コード１２０（公知のＱＲコードとして構成されたもの）で表現できるが、Ｓ３、Ｓ５で生成されたデータワード、Ｓ６で生成された誤り訂正ワード、及び空き領域１１０を格納する場合には、これよりも大きいサイズの情報コード１００によって表現する必要がある。そこで、本実施形態では、Ｓ３、Ｓ５で生成されたデータワード、Ｓ６で生成された誤り訂正ワード、及び空き領域１１０を、他種コード１２０よりも大きいサイズの情報コード１００によって表し、Ｓ３、Ｓ５で生成されたデータワード及びＳ６で生成された誤り訂正ワードを他種コード１２０（公知のＱＲコード）で表現した場合のコードワードの各配置と、これよりも大きいサイズの情報コード１００に格納する場合のコードワードの各配置との対応関係を、予め定められた配置変換表によって特定できるようにしている。
【００５８】
なお、本構成では、図５のような「配置変換表」が「解読対象データを表現する複数のデータワードをコード領域に配置する際の各配置位置を特定する配置位置情報」の一例に相当しており、この配置変換表（配置位置情報）は、解読対象データを複数のデータワードで表現したときの各順番のデータワードと、各順番のデータワードのコード領域内での各配置位置とを対応付けて定める情報として構成されている。また、記憶部５が「配置位置情報記録部」の一例に相当し、このような配置変換表のデータ（配置位置情報）を記録するように機能する。
【００５９】
Ｓ９又はＳ１１の後には、Ｓ９又はＳ１１で配置場所が決定されたコードワードに対してかけるべきマスクパターンを公知の所定方法（例えばＱＲコードで用いられる公知方法）で決定し、その決定されたマスクパターンをＳ９又はＳ１１で配置場所が決定されたコードワードに反映するように公知のマスク処理方法でマスクをかける（Ｓ１２）。そして、Ｓ１２で設定したマスクパターンの情報（マスク番号）及び誤り訂正レベルの情報に基づいてチェックデジットを算出し、図６のように誤り訂正レベル、マスク番号、チェックデジットを含んだフォーマット情報を生成する（Ｓ１３）。なお、フォーマット情報として記録するマスク番号や誤り訂正レベルなどのデータは、Ｓ１で入力できるようにしてもよい。
【００６０】
そして、Ｓ１で取得されたコード種別データが、空き領域１１０を有する情報コード１００の種別（フレームＱＲ）である場合には、Ｓ１４にてＹｅｓに進み、Ｓ１３で生成されたフォーマット情報に、上述の特定マスク（フレームＱＲマスク）を反映するようにマスク処理を行う（図６参照）。一方、Ｓ１で取得されたコード種別データが、空き領域１１０を有する情報コード１００の種別（フレームＱＲ）でない場合には、Ｓ１４にてＮｏに進み、Ｓ１６で設定するマスクパターンとは異なるマスクパターンのマスク（モデル１のマスク又はモデル２のマスク）をセットする。Ｓ１５又はＳ１６によりフォーマット情報に対してマスクをかけた後には、そのマスク処理後のフォーマット情報をコード領域内の所定位置１０５に配置する（Ｓ１７）。
【００６１】
このようにして、特定パターン領域、データ記録領域、誤り訂正領域が構成された後には、空き領域１１０の構成要素を配置する（Ｓ１８）。図３の例では、画像領域の位置がそれぞれ行位置及び列位置によって指定されているため、Ｓ１８では、このように指定された位置に画像領域１２１の図形データを配置する。図３、図５等に示す例では、例えば画像領域１２１の図形が矩形状の図形（例えば、領域内全体が単一色又は複数色の明色の背景で構成されてなる四角形の図形）として予め定められており、Ｓ１８では、このように決められた図形の左上位置及び右下位置がヘッダデータで指定される各位置となるように各図形を配置する。
【００６２】
なお、上述した例では、図３のヘッダデータに含まれる画像領域の位置（画像領域の位置）、形状及び色、識別表示の形状や色などが予め定められていたが、画像領域の位置をユーザが入力によって指定できるようにしてもよい。
【００６３】
以上のような流れで情報コードの生成処理が行われる。なお、情報コード１００又は他の二次元コードが生成された後には、そのコードを図示しない印刷部によって印刷してもよく、印刷に代えて、表示部６にて情報コード１００等の表示を行ってもよく、Ｓ１７までの処理によって生成された情報コード１００のデータを外部装置（例えば、携帯端末やコンピュータ等の情報機器）に送信してもよい。
【００６４】
本構成では、情報コード表示装置２の制御部３が「データ記録領域生成部」の一例に相当し、情報コード１００のコード領域の内部に空き領域１１０を設ける場合、コード領域内の所定位置に特定のフォーマット構成でフォーマット情報を記録し、且つ、データ取得部で取得された解読対象データ（入力データ）を表現する各データワードを、配置位置情報記録部に記録された配置位置情報に基づいて配置するように、データ記録領域を生成している。また、制御部３によって構成される「データ記録領域生成部」では、コード領域の内部に空き領域１１０を設ける場合、所定種類のマスクパターン（特定マスク）を反映した状態で所定位置１０５のセル配列を構成している。
【００６５】
（情報コードの読取処理）
次に、図２の情報コード読取装置１０によって図１、図５右図等に示す情報コード１００を読み取る場合の処理について説明する。図９の読取処理は、例えばユーザによって所定操作（例えば、操作スイッチ４２の操作等）がなされたときに実行されるものであり、まず、受光センサ２３の撮像エリアにある二次元コードを撮像して当該二次元コードの撮像画像を取得すると共に、その二次元コードの形を検出する。具体的には、位置検出パターン１０４の認識や二次元コードの外形の検出を公知の方法で試みる。例えば、ＱＲコード（登録商標）で行われる、１：１：３：１：１の波形を検出する公知の方法等により位置検出パターン１０４を検出し、撮像された二次元コードの外形をＱＲコード（登録商標）で行われる公知の方法で検出する。このような外形検出処理を行った場合、情報コード１００が撮像されている場合には、情報コード１００の外形が検出されることになる。なお、外形検出方法は、特定パターンの形状や二次元コードの外形を検出し得る方法であれば他の方法であってもよい。
本構成では、受光センサ２３が「撮像部」の一例に相当し、情報コード表示装置２によって生成された情報コード１００を撮像するように機能する。
【００６６】
情報コード１００の外形を検出し、情報コード１００のコード領域を抽出できた場合には、情報コード１００の所定位置１０５の情報（フォーマット情報）を解読し、撮像された情報コードの種別及びマスク訂正レベルを取得する（Ｓ４０）。具体的には、例えば、上述したように所定位置１０５に記録された情報を上述の特定マスク（フレームＱＲ用マスク）に基づいてマスク処理を解除して解読を試みる。上述の特定マスクのマスクを解除し得る方法でマスク処理を解除した時にチェックデジットが合う場合（即ち、所定位置１０５を解読したときの訂正レベルのデータとマスク番号のデータとに基づいて算出されたチェックデジットが、所定位置１０５に記録されたチェックデジットと合うような場合）には、情報コード１００の種別（空き領域１１０を有する種別）であることを特定することでき、フォーマット情報に含まれる誤り訂正レベル及びマスク番号も取得できることとなる。このように特定のマスクに基づいてマスク処理を解除できたとき（即ち、情報コード１００の種別（フレームＱＲ）であることが認識できたとき）には、Ｓ４１にてＹｅｓに進む。一方、図６に示すモデル１用のマスクやモデル２用のマスクなど、特定のマスク（フレームＱＲ用マスク）以外の他のマスクによってマスク処理を解除できたときには、Ｓ４１にてＮｏに進む。他のマスクによってマスク処理が解除できるときは、Ｓ４０で撮像された二次元コードが公知のＱＲコード（登録商標）のケースであるため、Ｓ４１でＮｏに進む場合は、公知の方法で当該ＱＲコードを解読して解読結果を出力することになる。なお、図９では、Ｓ４１でＮｏとなる場合の処理は省略して示している。
【００６７】
Ｓ４１でＹｅｓに進む場合、まず、データ記録領域に記録されたデータを解読する（Ｓ４２）。具体的には、Ｓ４０で取得されたフォーマット情報に含まれるマスク番号に基づいてコード全体（具体的には、コードワードの領域）のマスクを解除する。そして、データワードの先頭に設けられたヘッダデータ（フレームＱＲヘッダー）に基づいて、元のコードサイズ（他種コード１２０の型番、形式）を特定し、図５と同様の配置変換表に従って、図５右図に示すような情報コード１００から図５左図に示すような元のコード（他種コード１２０）の配置に戻す。具体的には、情報コード１００の各配置候補位置のコードワード（データコードワード及び誤り訂正コードワード）を、配置変換表において各配置候補位置に対応付けられている他種コード１２０内での配置位置に配置し直す。このように配置変換することにより、情報コード１００に配置されていたデータコードワードや誤り訂正コードワードを記録してなる他種コード１２０が得られることになる。そして、他種コード１２０は、公知のＱＲコードであるため、公知のＱＲコードと同様の方法でデータを解読する（即ち、誤り訂正コードワードに基づいて公知の方法で誤り訂正計算を実施すると共に、データコードワードを解読する）。
【００６８】
本構成では、制御回路４０が「判別部」の一例に相当し、撮像部によって情報コード１００が撮像された場合に、コード領域の所定位置１０５が特定のフォーマット構成であるか否かを判別するように機能する。具体的には、所定位置１０５に所定種類のマスクパターン（特定マスク）が反映されているか否かを判別するように機能する。
【００６９】
また、制御回路４０が「データ記録領域読取部」「解読部」の一例に相当し、撮像部によって情報コード１００が撮像された場合に、その撮像された情報コード１００のコード画像におけるデータ記録領域及び誤り訂正符号記録領域の内容に基づいてデータ記録領域に記録されたデータを読み取るように機能する。具体的には、判別部によって所定位置１０５が特定のフォーマット構成であると判別された場合（より詳しくは、所定位置１０５に所定種類のマスクパターンが反映されている場合）に、対応情報記録部に記録された対応情報（配置変換表）に基づいてコード領域内の各データワードの位置を特定し、解読対象データを解読するように機能する。
【００７０】
なお、配置変換表は、「対応情報」の一例に相当し、コード領域において各配置位置で表される各順番のデータワードを、情報コード１００とは異なる他種コード１２０において予め定められた方式（例えば公知規格等で定められた方式など）で表現する場合の当該他種コード１２０内での各対応位置を定める情報として構成されている。そして、解読部に相当する制御回路４０は、判別部によって所定位置１０５が特定のフォーマット構成であると判別された場合、コード領域の各配置位置で表される各順番のデータワードを、対応情報で定められる他種コード１２０内での各対応位置に置換した構成で当該他種コード１２０を解読するように機能する。
【００７１】
Ｓ４２にてデータ記録領域のデータを解読した後には、ヘッダデータ（フレームＱＲヘッダー）に含まれる形式情報を読み取る。そして、この形式情報が「画像形式」を示す形式情報である場合には、Ｓ４４でＹｅｓに進む。その他の形式の場合には、Ｓ４４にてＮｏに進む。なお、図９では、Ｓ４４でＮｏに進む場合の処理を省略して示している。
【００７２】
Ｓ４４でＹｅｓに進む場合（即ち、ヘッダデータ（フレームＱＲヘッダー）に含まれる形式情報が「画像形式」を示す形式情報である場合）、ヘッダデータに含まれる画像領域位置情報（位置データ）を読み取る（Ｓ４５）。そして、情報コード１００内における画像領域の位置を特定する（Ｓ４６）。具体的には、本構成では、矩形状の画像領域を形成することを想定しており、Ｓ４６ではコード画像を解析してコード画像における画像領域の四隅の位置を特定する。例えば、画像領域位置情報（位置データ）として、画像領域の四隅の位置情報（例えば四隅の各位置における列位置と行位置の組合せ）が記録されている場合、この位置データによって画像領域の四隅の位置を特定できる。この場合、この位置データが画像処理部による認識対象となる領域の位置を示す位置特定データに相当する。Ｓ４６にて画像領域の四隅の位置を特定した後には、特定された画像領域に対して所定の画像処理を行う（Ｓ４７）。なお、Ｓ４４以降の処理を省略するような読み取り方法であってもよい。
【００７３】
（情報コードの表示処理）
次に、情報コードの表示処理について説明する。
上述した情報コードは、表示装置２又はその他の表示装置で表示することができ、更には、操作によって、情報コード全体又は一部要素のサイズを変更して再表示することができるようになっている。以下の説明では、表示装置２を代表例として挙げ、表示処理について詳述する。
【００７４】
例えば、表示装置２では、記憶部５に記憶されたプログラムに基づいて制御部３が動作し、図１０のような流れで表示処理を行う。この表示処理は、表示装置２において所定条件が成立した場合（例えば、操作部に対して所定の開始操作がなされた場合）に制御部３によって実行され、まず、情報コードの表示を行う（Ｓ１０１）。例えば、表示装置２の内部には複数の情報コードの画像データが記憶されており、その中から図１１で示す情報コード１００の画像を表示することを指示するような所定の指示操作が操作部４によって行われた場合、制御部３は、記憶部５に記憶された情報コード１００の画像を読み出し、表示部６に表示する（Ｓ１０１）。
【００７５】
上述したように、情報コード１００は、情報を表示する単位となるセルが配列された領域（セル配列領域）と空き領域１１０とを備えてなるものであり、空き領域１１０は、セル以外の画像が少なくとも表示される画像領域１２１として機能している。そして、Ｓ１０１では、このような画像領域１２１を備えた情報コード１００を表示部６に表示させることが可能となっている。
【００７６】
Ｓ１０１で情報コード１００が表示された後には、表示された情報コードに対する変更指示があるまで待機する。具体的には、Ｓ１０１の処理の後、Ｓ１０２の処理を行い、画像に対する拡大指示又は縮小指示がなされたか否かを判断する。そして、Ｓ１０１の後、画像に対する拡大指示又は縮小指示がなされていない間は、Ｓ１０２にてＮｏの判断が繰り返されることになる。一方、Ｓ１０１の後、画像に対する拡大又は縮小指示がなされた場合には、Ｓ１０２にてＹｅｓに進む。具体的には、図１１のような情報コード１００が表示されている状態で、操作部に対する所定操作（例えば、マウスに対する右クリック操作やタッチパネルに長く接触する操作など）が行われた場合に、図１１のような選択画像が表示され、選択画像に表示された項目の中からいずれかの項目を選択できるようになっている。そして、「画像としての拡大・縮小」又は「内部画像を最大限に拡大」のいずれかが選択された場合に、Ｓ１０２にてＹｅｓに進むようになっている。
【００７７】
図１１の選択画像では、既に表示されている画像に対してどの程度の大きさに変更するかを特定する情報として、「倍率」の項目が含まれており、この「倍率」の項目で設定される割合に変更されるようになっている。具体的には、「倍率」の項目で数値が入力された状態で、「画像としての拡大・縮小」又は「内部画像を最大限に拡大」のいずれかが選択された場合、「倍率」の項目で設定された数値の割合で、既に表示されている情報コードのサイズを変更するように表示変更を行う。
【００７８】
例えば、「倍率」が１２０％であれば、「画像としての拡大・縮小」又は「内部画像を最大限に拡大」のいずれかが選択された場合、図１１のように既に表示されている情報コードのサイズに対し、縦の長さを１２０％に拡大し、横の長さを１２０％に拡大するように情報コードを拡大することになる。例えば、「倍率」が１００％よりも大きい値が指定された状態で「画像としての拡大・縮小」が選択された場合には、図１３（Ａ）のように表示されていた情報コードを図１３（Ｂ）のように拡大する。このとき、拡大前の情報コードと拡大後の情報コードが相似形となるようにコード全体として一体的に拡大する。一方、「倍率」が１００％よりも大きい値が指定された状態で「内部画像を最大限に拡大」が選択された場合には、図１２（Ａ）のように表示されていた情報コードを図１２（Ｂ）のように拡大する。この拡大処理では、サイズ拡大指示の前に表示部６に表示されていた情報コード（例えば図１２（Ａ））での情報コード全体に対する画像領域の割合よりも、サイズ拡大指示の後に表示部６に表示されていた情報コード（例えば図１２（Ｂ））での情報コード全体に対する画像領域の割合のほうが大きくなる。
【００７９】
また、「倍率」が８０％であれば、「画像としての拡大・縮小」又は「内部画像を最大限に拡大」のいずれかが選択された場合、図１４のように既に表示されている情報コードのサイズに対し、縦の長さを８０％に縮小し、横の長さを８０％に縮小するように情報コードを縮小することになる。例えば、「倍率」が１００％よりも小さい値が指定された状態で「画像としての拡大・縮小」が選択された場合には、図１６（Ａ）のように表示されていた情報コードを図１６（Ｂ）のように縮小する。このとき、縮小前の情報コードと縮小後の情報コードが相似形となるようにコード全体として一体的に縮小する。一方、「倍率」が１００％よりも小さい値が指定された状態で「内部画像を最大限に拡大」が選択された場合には、図１５（Ａ）のように表示されていた情報コードを図１５（Ｂ）のように縮小する。この縮小処理では、サイズ縮小指示の前に表示部６に表示されていた情報コード（例えば図１２（Ａ））での情報コード全体に対する画像領域の割合よりも、サイズ縮小指示の後に表示部６に表示されていた情報コード（例えば図１２（Ｂ））での情報コード全体に対する画像領域の割合のほうが大きくなる。
【００８０】
「画像としての拡大・縮小」又は「内部画像を最大限に拡大」のいずれかが選択されたことによりＳ１０２でＹｅｓに進む場合、「内部画像を最大限に拡大」が選択されている場合にはＳ１０３にてＹｅｓに進む。逆に、「画像としての拡大・縮小」が選択されている場合には、Ｓ１０３にてＮｏに進む。
【００８１】
Ｓ１０３でＹｅｓに進む場合、「倍率」の項目で指定された倍率となる型番を新たに決定する。本システムでは、情報コードの型番が複数用意されており、各型番毎に、セルの列数及び行数が定められている。Ｓ１０４では、まず、表示前の情報コードを「倍率」の項目で指定された倍率に変更した場合であって且つ変更前後のセルサイズを同じにした場合での、セルの列数及び行数を求め、それら列数及び行数となる型番を選択する。
【００８２】
まず、Ｓ１０３でＹｅｓに進む場合において、コード全体のサイズを拡大する場合について説明する。例えば、表示前の情報コードのセルの列数及び行数が３７行３７列であり、「倍率」の項目で１５０％が選択されている場合、同一セルサイズを維持したまま情報コードの縦及び横の長さを１５０％程度にしたときのセルの行数及び列数（例えば、５６行５６列）となる型番を選択する。そして、この型番の情報コードを生成するように図８で示した方法で情報コードを生成する。また、この情報コードを生成する際には、表示前の情報コードの記録されていた解読データ及び誤り訂正データが全て記録されるように新たな情報コードを再生成し、このように解読データ及び誤り訂正データを全て含んだ構成で、最大限配置できる範囲で画像領域を配置する。例えば、図１２（Ａ）のような情報コードに記録された解読データ及び誤り訂正データを図１２（Ｂ）のように同一セルサイズの大きな構成で表わす場合、コード全体において解読データ及び誤り訂正データを記録するために必要となる割合は、図１２（Ａ）のときの割合よりも小さくなるため、その分、より大きく画像領域を構成できることになる。
【００８３】
なお、倍率が「１００％」の状態で、「内部画像を最大限に拡大」が選択された場合、情報コードのサイズは変更させずに、内部画像だけ最大限まで拡大されるようにすればよい。
【００８４】
このように、本構成では、変更指示の前に表示部に表示されていた情報コードよりも全体サイズ又は画像領域のサイズを大きくするサイズ拡大指示が受付部によって受け付けられた場合に、当該サイズ拡大指示の前に表示部に表示されていた情報コードでの情報コード全体に対する画像領域の割合よりも大きくするように、新たな情報コードでの情報コード全体に対する画像領域の割合を決定している。更に、本構成では、情報コードの全体サイズを大きくするサイズ拡大指示が受付部によって受け付けられた場合に、当該サイズ拡大指示の前に表示部に表示されていた情報コードでの画像領域の大きさに対するセルの大きさの割合よりも、新たな情報コードでの画像領域の大きさに対するセルの大きさの割合のほうが小さくなるように、新たな情報コードでの内部構成を決定している。具体的には、構成決定部は、サイズ拡大指示が受付部によって受け付けられた場合に、当該サイズ拡大指示の前に表示部に表示されていた情報コードでのセルの大きさと同じ大きさのセルを配列した構造とするように新たな情報コードでの内部構成を決定している。
【００８５】
次に、Ｓ１０３でＹｅｓに進む場合において、コード全体のサイズを縮小する場合について説明する。例えば、表示前の情報コードのセルの列数及び行数が３７行３７列であり、「倍率」の項目で７０％が選択されている場合、情報コードの縦及び横の長さを７０％にした状態において、セルの大きさを所定の最小サイズとしたときに配列されるセルの行数及び列数を算出し、そのような行数及び列数となる型番を選択する。そして、この型番の情報コードを生成するように図８で示した方法で情報コードを生成する。また、この情報コードを生成する際には、表示前の情報コードの記録されていた解読データ及び誤り訂正データが全て記録されるように新たな情報コードを再生成し、このように解読データ及び誤り訂正データを全て含んだ構成で、最大限配置できる範囲で画像領域を配置する。このように再生成する場合、図１５（Ｂ）のように新たに生成される情報コードでのセルサイズを小さくすれば、コードサイズを縮小しても、コード全体に占める画像領域の割合を大きくすることができる。
【００８６】
このように、本構成では、変更指示の前に表示部６に表示されていた情報コード１００よりもサイズを小さくするサイズ縮小指示が受け付けられた場合に、当該サイズ縮小指示の前に表示部６に表示されていた情報コード１００（例えば、図１５（Ａ））での情報コード全体に対する画像領域の割合よりも大きくするように、新たな情報コード（例えば、図１５（Ｂ））での情報コード全体に対する画像領域の割合を決定する。また、本構成では、サイズ縮小指示が受け付けられた場合に、当該サイズ縮小指示の前に表示部６に表示されていた情報コード１００での画像領域の大きさに対するセルの大きさの割合よりも、新たな情報コード１００での画像領域の大きさに対するセルの大きさの割合のほうが小さくなるように、新たな情報コード１００での内部構成を決定しており、具体的には、サイズ縮小指示が受け付けられた場合に、当該サイズ縮小指示の前に表示部６に表示されていた情報コード１００のセルよりも小さいセルを配列した構造とするように新たな情報コード１００での内部構成を決定している。
【００８７】
なお、Ｓ１０３にてＮｏに進む場合（即ち、「画像としての拡大・縮小」が選択されている場合）には、Ｓ１０８にてコード画像の拡大又は縮小を行う。この処理では、拡大又は縮小前の情報コードと拡大又は縮小後の情報コードが相似形となるようにコード全体として一体的に拡大又は縮小する。例えば、倍率が１００％よりも大きい場合には、図１３（Ａ）から図１３（Ｂ）のように、コード全体を相似形で拡大し、倍率が１００％よりも小さい場合には、図１６（Ａ）から図１６（Ｂ）のように、コード全体を相似形で縮小する。
【００８８】
Ｓ１０５にて新たな情報コード１００（フレームＱＲ）が生成された後、又はＳ１０８にて新たなコード画像が生成された後には、その生成された情報コード１００を表示部６に表示する（Ｓ１０６）。そして、表示処理を終了するか否かを判断し（Ｓ１０７）、表示処理を終了させる所定操作がなされた場合には図１０の処理を終了し、終了させる所定操作がなされる前に画像に対する拡大指示又は縮小指示がなされた場合には、Ｓ１０７でＮｏに進み、Ｓ１０２の判断処理を行うことになる。
【００８９】
本構成では、操作部４及び制御部３が受付部の一例に相当し、表示部６に表示された情報コードの全体の大きさ又は一部要素の大きさを変更する変更指示を受け付け可能に構成されている。また、本構成では、制御部３が生成部の一例に相当し、表示部６にて情報コードが表示された後、受付部によって変更指示が受け付けられた場合に、変更指示の前に表示部６に表示されていた情報コードの記録内容が少なくとも記録され且つ画像領域の画像が表された新たな情報コードを変更指示に応じた内容で生成する処理を行うようになっている。
【００９０】
また、Ｓ１０３、Ｓ１０４の処理等を行う制御部３は、割合決定部の一例に相当し、変更指示に応じた内容の新たな情報コードを生成する場合に、当該新たな情報コードでの情報コード全体に対する画像領域の割合を決定するように機能する。より具体的には、受付部に相当する操作部４及び制御部３は、所定の割合指定指示を受け付け可能とされており、割合決定部は、受付部によって所定の割合指定指示が受け付けられた場合に、新たな情報コードでの情報コード全体に対する画像領域の割合を予め定められた所定の最大割合とするように機能する。
【００９１】
また、制御部３は、構成決定部の一例に相当し、割合決定部で決定された画像領域の割合に従い、変更指示に応じた内容となるように新たな情報コードの内部構成を決定するように機能する。より具体的には、本システムでは、情報コード１００を生成する上で、セルの行数及び列数の組み合わせが異なる複数種類の型番が用意されており、構造決定部は、変更指示の前に表示部に表示されていた情報コードの記録内容と、変更指示とに基づいて新たな型番を決定し、その決定された型番と、割合決定部で決定された画像領域の割合とに基づいて新たな情報コードでの内部構成を決定するようになっている。そして、表示部６は、上記生成部によって新たな情報コードを生成する処理が行われた場合に、構成決定部によって決定された内部構成で新たな情報コードを表示するように機能する。
【００９２】
また、本構成では、変更指示の前に表示部に表示される情報コードは、上述したフレームＱＲとして構成され、コード領域の内部に、予め定められた形状の特定パターンが配置される特定パターン領域と、複数種類のセルによって解読対象データを表すデータ記録領域と、データ記録領域の誤り訂正を行うための誤り訂正データが記録される誤り訂正データ記録領域と、解読対象データが記録されず且つデータ記録領域の誤り訂正を行うための誤り訂正データが記録されない領域として構成される画像領域と、を設けた構成となっている。そして、構造決定部は、コード領域の内部に、固定パターンが配置される第１領域と、データ記録領域に記録された解読対象データが少なくとも記録される第２領域と、第２領域の誤り訂正を行うための誤り訂正データが記録される第３領域と、解読対象データが記録されず且つ第２領域の誤り訂正を行うための誤り訂正データが記録されない領域として構成され、画像領域の画像を所定の方式で拡大又は縮小した画像が表される第４領域と、を設けた形で新たな情報コード（新たなフレームＱＲ）の内部構成を決定する。
【００９３】
（本構成の効果の例）
本構成では、表示部に表示された情報コードの全体の大きさ又は一部要素の大きさを変更する変更指示を受け付けることができるようになっている。そして、変更指示に応じた内容の新たな情報コードを生成する場合に、当該新たな情報コードでの情報コード全体に対する画像領域の割合を決定する割合決定部と、割合決定部で決定された画像領域の割合に従い、変更指示に応じた内容となるように新たな情報コードの内部構成を決定する構成決定部とが設けられている。そして、表示部は、生成部によって新たな情報コードを生成する処理が行われた場合に、構成決定部によって決定された内部構成で新たな情報コードを表示する構成となっている。
この構成によれば、表示装置に表示された情報コードの全体の大きさ又は一部要素の大きさを変更する変更指示を当該表示装置に与えることにより、情報コードの全体サイズ又は一部要素のサイズを変更して新たな情報コードを生成・表示することができる。そして、新たな情報コードの生成・表示に際しては、情報コード全体に対する画像領域の割合を新たに決定した上で、その割合に従った内部構成とすることができるため、既存構成（例えば、サイズ変更時にコード全体に対する画像領域の割合が固定化され続ける構成）では成し得なかった形での斬新な表示変更が可能となる。
【００９４】
また、割合決定部は、変更指示の前に表示部に表示されていた情報コードよりも全体サイズ又は画像領域のサイズを大きくするサイズ拡大指示が受付部によって受け付けられた場合に、当該サイズ拡大指示の前に表示部に表示されていた情報コードでの情報コード全体に対する画像領域の割合よりも大きくするように、新たな情報コードでの情報コード全体に対する画像領域の割合を決定する。
このように構成されているため、ユーザは、サイズ拡大指示を表示装置に与えることにより、その指示前に表示されていた情報コードよりも、全体サイズ又は画像領域のサイズを大きくした形で新たな情報コードを生成・表示させることができる。しかも、指示前に表示部に表示されていた情報コードでの情報コード全体に対する画像領域の割合よりも、新たな情報コードでの情報コード全体に対する画像領域の割合のほうが大きくなるように変更することができるため、画像領域をより大きく強調した形で情報コードを再構成することを望むユーザにとってメリットが非常に大きくなる。
【００９５】
また、構造決定部は、情報コードの全体サイズを大きくするサイズ拡大指示が受付部によって受け付けられた場合に、当該サイズ拡大指示の前に表示部に表示されていた情報コードでの画像領域の大きさに対するセルの大きさの割合よりも、新たな情報コードでの画像領域の大きさに対するセルの大きさの割合のほうが小さくなるように、新たな情報コードでの内部構成を決定する。
この構成では、サイズ拡大指示がなされた場合に、画像領域の大きさに対してのセルの大きさの割合を小さくしているため、指示前のセル配列で表わされていたデータを表すためのセル配列領域を、指示前よりも小さく構成することができ、このようにデータに要する領域を抑えた分を、画像領域の拡大に割り当てやすくなる。よって、データの記録を担保しつつ画像領域を極力大きくしたい場合により有利になる。
【００９６】
また、構成決定部は、サイズ拡大指示が受付部によって受け付けられた場合に、当該サイズ拡大指示の前に表示部に表示されていた情報コードでのセルの大きさと同じ大きさのセルを配列した構造とするように新たな情報コードでの内部構成を決定する。
この構成では、サイズ拡大指示がなされた場合に、セルの大きさは変えずにコードの全体サイズを大きくすることができるため、サイズの拡大によって広がったコード内部領域のより多くを、画像領域の拡大のために割り当てやすくなる。しかも、指示前の情報コードと、指示後の新たな情報コードとではセルサイズが同じであるため、変更の前後でセルサイズが予期しない大きさになるようなことがなく、セルの状態は極力変えずにコードの拡大及び画像領域の拡大を図りたい場合には、より有利になる。
【００９７】
また、割合決定部は、変更指示の前に表示部に表示されていた情報コードよりもサイズを小さくするサイズ縮小指示が受付部によって受け付けられた場合に、当該サイズ縮小指示の前に表示部に表示されていた情報コードでの情報コード全体に対する画像領域の割合よりも大きくするように、新たな情報コードでの情報コード全体に対する画像領域の割合を決定する。
このように構成されているため、ユーザは、サイズ縮小指示を表示装置に与えることにより、その指示前に表示されていた情報コードよりも、全体サイズを小さくした形で新たな情報コードを生成・表示させることができる。また、コードを単に縮小するだけでは、画像領域が大幅に小さくなってしまうことが懸念されるが、本構成では、指示前に表示部に表示されていた情報コードでの情報コード全体に対する画像領域の割合よりも、新たな情報コードでの情報コード全体に対する画像領域の割合のほうが大きくなるように変更することができるため、コードサイズは小さくしつつも、画像領域については、できるだけ大きく強調した形で情報コードを再構成することが可能となる。
【００９８】
また、構造決定部は、サイズ縮小指示が受付部によって受け付けられた場合に、当該サイズ縮小指示の前に表示部に表示されていた情報コードのセルよりも小さいセルを配列した構造とするように新たな情報コードでの内部構成を決定する。
この構成によれば、サイズ縮小指示がなされた場合にコード全体のサイズを変更して再表示することができ、その際には、新たな情報コードでのセルサイズをできるだけ小さくすることで画像領域の占有割合を高めることができる。
【００９９】
また、構造決定部は、サイズ縮小指示が受付部によって受け付けられた場合に、当該サイズ縮小指示の前に表示部に表示されていた情報コードでの画像領域の大きさに対するセルの大きさの割合よりも、新たな情報コードでの画像領域の大きさに対するセルの大きさの割合のほうが小さくなるように、新たな情報コードでの内部構成を決定する。
この構成では、サイズ縮小指示に応じた新たな情報コード（全体サイズを縮小した情報コード）を生成・表示する際に、セルの縮小度合いを大きくし、画像領域の縮小度合いを抑えた形でのサイズ変更がなされるため、画像領域とセルの大きさの関係を一定に保ちながら縮小する場合と比較すると、画像領域の割合を確実に高めた形でのコードの縮小表示が可能となる。
【０１００】
また、本構成では、受付部は、所定の割合指定指示を受け付け可能とされており、割合決定部は、受付部によって所定の割合指定指示が受け付けられた場合に、新たな情報コードでの情報コード全体に対する画像領域の割合を予め定められた所定の最大割合とする。
このように構成されているため、所定の割合指定指示を表示装置に与えるという比較的簡易な指示により、画像領域の割合をより大きくした形での斬新な表示変更が可能となる。
なお、上記代表例では、図１１のような選択表示がなされている際に、「内部画像を最大限に拡大」が選択された場合に、内部画像を所定の最大限の割合に変更していたが、具体的には、「内部画像を最大限に拡大」が選択された場合には、全体画像の大きさに対して予め決められた最大割合（一定割合）の大きさとなるように変更してもよく、表示変更前の図１１のような情報コードに記録されていた解読対象データを記録した上で表すことのできる最大領域（解読対象データ、フォーマットデータ、誤り訂正データなどの必要データが記録されるセル領域を外縁部付近に配置した場合に確保できる最大領域）の大きさとなるように変更してもよい。このようなやり方は、拡大率を１００％よりも大きくする場合でも、拡大率を１００％のままにする場合でも、拡大率を１００％未満にする場合でも適用できる。
また、上記代表例では、割合決定部によって情報コード全体に対する画像領域の割合を変更する条件が、「内部画像を最大限に拡大」が選択された場合であったが、例えば、図１１のような選択画面において、「画像領域の割合」を数値として入力可能であってもよい。例えば、図１１のような選択画面において「画像領域の割合」が７０％と指定された場合には、拡大率を１００％よりも大きくする場合でも、拡大率を１００％のままにする場合でも、拡大率を１００％未満にする場合でも、「画像領域の割合」が７０％となるように変更すればよい。この場合で、例えば、変更前と変更後とで画像領域の中心位置が同じになるように変更すればよい。
【０１０１】
また、本構成では、セルの行数及び列数の組み合わせが異なる複数種類の型番が用意されており、構造決定部は、変更指示の前に表示部に表示されていた情報コードの記録内容と、変更指示とに基づいて新たな型番を決定し、その決定された型番と、割合決定部で決定された画像領域の割合とに基づいて新たな情報コードでの内部構成を決定する。
このように、変更指示がなされた場合に、その変更指示に応じた新たな型番を決定した上で、新たな情報コードを生成・表示する構成とすれば、単にコード画像を全体的に拡大、縮小させるような既存方法では成し得ない細かな調整が可能となる。
【０１０２】
また、本構成では、変更指示の前に表示部に表示される情報コードは、コード領域の内部に、予め定められた形状の特定パターンが配置される特定パターン領域と、複数種類のセルによって解読対象データを表すデータ記録領域と、データ記録領域の誤り訂正を行うための誤り訂正データが記録される誤り訂正データ記録領域と、解読対象データが記録されず且つデータ記録領域の誤り訂正を行うための誤り訂正データが記録されない領域として構成される画像領域と、を設けた構成であり、構造決定部は、コード領域の内部に、固定パターンが配置される第１領域と、データ記録領域に記録された解読対象データが少なくとも記録される第２領域と、第２領域の誤り訂正を行うための誤り訂正データが記録される第３領域と、解読対象データが記録されず且つ第２領域の誤り訂正を行うための誤り訂正データが記録されない領域として構成され、画像領域の画像を所定の方式で拡大又は縮小した画像が表される第４領域と、を設けた形で新たな情報コードの内部構成を決定する。
この構成によれば、変更前後のいずれの情報コードにおいても、画像が表示される領域を、解読対象データが記録されず且つ誤り訂正データが記録されない特殊な領域として表すことができ、画像の領域をより自由に構成し易くなる。そして、このように特徴的な情報コードを表示する構成において、画像領域の割合を変更するという斬新な表示変更が可能となる。
【０１０３】
[第１実施形態の応用例]
この応用例は、第１実施形態の構成を全て含み、以下の例に応用したものである。
この応用例では、例えば、ユーザが表示装置２を操作して図１７（Ａ）のような現場で写真撮影する。このように写真撮影された後、所定の開始操作を行うことで、図１７（Ｂ）のようなコード模様（上述した情報コード１００（フレームＱＲ）における、空き領域１１０以外の部分の模様）が表れるようになっている。そして、このように、撮像画像にコード模様が組み込まれた合成画像に対して図１７（Ｂ）のようにドラック操作などを行うことで、コード模様を所望の位置に動かすことができ、図１８（Ａ）のように撮像画像内の希望する位置の画像を情報コード１００の空き領域１１０に表すことができるようになる。このように希望位置の画像が情報コード１００の空き領域１１０に表された状態で所定の決定操作を行うことで、図１８（Ｂ）のように、希望位置の画像が空き領域１１０内に表された情報コード１００（フレームＱＲ）が生成される。なお、情報コード１００のデータ記録領域には、ブログのＵＲＬや友達へのメッセージなどを記録しておいてもよい。そして、情報コード１００を読み取った場合に、ＵＲＬで特定されるブログや、読み取った者の端末のアプリなどによってプレゼント画像を表示できるようにしてもよい。そして、このように生成された情報コード１００は、図１０の表示処理のＳ１０１において表示することができ、情報コード１００の画像の変更を行う場合には、第１実施形態と同様、図１０の流れで行えばよい。
【０１０４】
[第２実施形態]
次に、第２実施形態について、図面を参照して説明する。
第１実施形態では、空き領域１１０を設け、この空き領域１１０を画像領域として構成した例を示したが、このような例に限られない。例えば、誤り訂正が可能な一般的な二次元コード（例えばＱＲコード等）のセル配置領域に、上述したような画像を上書き等によって設け、このような画像領域によって潰れた領域のデータを誤り訂正によって復元するようにしてもよい。第２実施形態ではこの例について説明する。なお、第２実施形態の情報コード利用システムは、ハードウェア構成については第１実施形態と同一であり、上述した図１、図２のような構成が用いられる。
【０１０５】
第２実施形態の情報コード利用システムでは、情報コード表示装置２（図１等参照）により図１９（Ｂ）のような情報コード２００を生成する。この構成でも、コード領域の内部に、予め定められた形状の特定パターン（位置検出パターン２０４）が配置される特定パターン領域と、複数種類のセルによってデータを記録するデータ記録領域と、情報コード読取装置１０によって所定の画像認識処理を行う対象となる画像領域１２１とを設けている。
【０１０６】
この構成では、空き領域２１０内の構成以外は、公知のＱＲコード（登録商標）として構成されており、まず、図１９（Ａ）のように、コード領域の内部に、特定パターン領域と、データ記録領域と、複数種類のセルによって誤り訂正符号を記録する誤り訂正符号記録領域とを設けている。なお、データ記録領域でのデータコードワードの記録方法及び誤り訂正符号記録領域での誤り訂正コードワードの記録方法は公知のＱＲコード（登録商標）と同様であり、例えば、ＪＩＳＸ０５１０で規定される方式でコード領域内の位置検出パターン２０４の配置、データ記録領域におけるデータコードワードの配置、誤り訂正符号記録領域での誤り訂正コードワードの配置が定められている。
【０１０７】
但し、図１９（Ａ）のように、一部領域のコードワードを、白セルのみによって表現されるコードワードとして構成した情報コード２００’を生成し、このように白セルのみによって表現される中央領域を空き領域２１０として、図１９（Ｂ）のように、この空き領域２１０内に記号やその他の画像など表すことで画像領域１２１を構成している。このように構成した場合、図１９（Ａ）のような本来のデータ表示とは異なった構成になるが、この空き領域２１０でのデータの誤りは、誤り訂正符号記録領域に記録された誤り訂正符号を用いて公知の誤り訂正を行えばよい。
【０１０８】
また、図１９（Ｂ）に示す情報コード２００では、空き領域２１０（画像領域１２１）の位置が予め特定されるため、空き領域２１０内にデザインや情報を付加して表示する場合にはこの表示による誤り位置が予め分かっていることになる。従って、空き領域２１０の位置を誤り位置として消失訂正を行うように誤り訂正符号記録領域の誤り訂正符号を構成することもできる。この場合、空き領域２１０の位置を示す情報を予めデータ記録領域に記録しておいたり、或いは、予め読取装置１０（図１）内に記憶しておくことで、読取時に読取装置１０が空き領域２１０の位置（即ち、誤りが生じているデータコードワードの位置）を特定することができるようになり、読取装置１０は、このように位置が特定された空き領域２１０に存在するデータコードワードの誤りを訂正するように、誤り訂正符号記録領域に記録された誤り訂正符号を用いて消失訂正を行うようにすればよい。
【０１０９】
また、図１９のように既存のＱＲコード（登録商標）の一部を空き領域２１０として構成する場合、データ記録領域に記録されるデータにおいて、図２１のような識別情報を含ませておけばよい。図２１は、データ記録領域に記録される解読対象データ構成を概念的に示しており、この例では、解読対象データの先頭部分に、所定構成（％％ＩＭＡＧＥ％％）のデータが付されている。このように構成しておけば、読取装置１０は、データ記録領域に記録される解読対象データの中からこの識別情報（％％ＩＭＡＧＥ％％）を検出したときに、画像領域１２１に対する所定処理（例えば、画像認識処理など）を行うことができるようになり、逆に、識別情報（％％ＩＭＡＧＥ％％）を検出できないときには通常のデコード処理を行うことになる。また、この例では、データ記録領域のデータとして、通常のデータ以外に、画像領域の位置を特定する位置データや、その他の付随情報が含まれていることが望ましい。また、図２１に示すデータは、データ記録領域に記録されるデータの内、終端子よりも前に配置される解読対象データを示しており、終端子よりも後に配置される埋め草コードは省略している。本構成では、例えば、この埋め草コードの領域を全て白セルのみで表示するようにし、この領域を空き領域２１０として扱うようにすることができる。
【０１１０】
また、識別情報の例はこの例に限られるものではなく、例えばモード番号として専用のモード番号を用いるようにしてもよい。例えば、ＱＲコードの規格では、１：数字モード、２：英数字モード、３：連結モード等が定められており、このようなモード番号の１つとして１４：画像認識モードを設けるようにしてもよい。このような例では、モード番号「１４」が設定されている場合に、画像領域１２１の画像認識処理などを行えばよい。
【０１１１】
本構成では、このような情報コード２００の構成を前提とし、第１実施形態と同様の流れで表示処理を行う。具体的には、図１０の流れで表示処理を行い、まず、図２０（Ａ）のように、上述した構成をなすいずれかの情報コード２００を表示する（Ｓ１０１）。Ｓ１０１で情報コード２００が表示された後には、表示された情報コード２００に対する変更指示があるまで待機する。具体的には、Ｓ１０１の処理の後、Ｓ１０２の処理を行い、画像に対する拡大指示又は縮小指示がなされたか否かを判断する。そして、Ｓ１０１の後、画像に対する拡大指示又は縮小指示がなされていない間は、Ｓ１０２にてＮｏの判断が繰り返されることになる。一方、Ｓ１０１の後、画像に対する拡大又は縮小指示がなされた場合には、Ｓ１０２にてＹｅｓに進む。具体的には、図２０のような情報コード２００が表示されている状態で、操作部に対する所定操作（例えば、マウスに対する右クリック操作やタッチパネルに長く接触する操作など）が行われた場合に、図１１と同様の選択画像が表示され、選択画像に表示された項目の中からいずれかの項目を選択できるようになっている。そして、「画像としての拡大・縮小」又は「内部画像を最大限に拡大」のいずれかが選択された場合に、Ｓ１０２にてＹｅｓに進むようになっている。
【０１１２】
例えば、「倍率」が１２０％であれば、「画像としての拡大・縮小」又は「内部画像を最大限に拡大」のいずれかが選択された場合、図２０（Ａ）のように既に表示されている情報コードのサイズに対し、縦の長さを１２０％に拡大し、横の長さを１２０％に拡大するように情報コードを拡大することになる。例えば、「倍率」が１００％よりも大きい値が指定された状態で「画像としての拡大・縮小」が選択された場合には、拡大前の情報コードと拡大後の情報コードが相似形となるようにコード全体として一体的に拡大する。一方、「倍率」が１００％よりも大きい値が指定された状態で「内部画像を最大限に拡大」が選択された場合には、図２０（Ａ）のように表示されていた情報コードを図２０（Ｂ）のように拡大する。この拡大処理では、サイズ拡大指示の前に表示部６に表示されていた情報コード（例えば図２０（Ａ））での情報コード全体に対する画像領域１２１の割合よりも、サイズ拡大指示の後に表示部６に表示されていた情報コード（例えば図２０（Ｂ））での情報コード全体に対する画像領域１２１の割合のほうが大きくなる。
【０１１３】
なお、本構成では、変更指示の前に表示部６に表示される情報コード２００（図２０（Ａ））は、コード領域の内部に、予め定められた形状の特定パターン（公知のファインダパターンやアライメントパターンなど）が配置される特定パターン領域と、複数種類のセルによって解読対象データを表すデータ記録領域（ＱＲコード（登録商標）の規格で規定された通常の解読対象データ記録領域）と、データ記録領域の誤り訂正を行うための誤り訂正データが記録される誤り訂正データ記録領域（ＱＲコード（登録商標）の規格で規定された通常の誤り訂正データ記録領域）と、誤り訂正データ記録領域のデータによって誤り訂正がされる領域として構成される画像領域１２１と、を設けた構成となっている。そして、構造決定部に相当する制御部３は、「内部画像を最大限に拡大」が選択されることで図２０（Ｂ）のような新たな情報コードを生成する際には、コード領域の内部に、固定パターンが配置される第１領域（表示変更後のＱＲコード（登録商標）における、ファインダパターンやアライメントパターンなどの領域）と、データ記録領域に記録された解読対象データが少なくとも記録される第２領域（ＱＲコード（登録商標）の規格で規定された通常の解読対象データ記録領域）と、第２領域の誤り訂正を行うための誤り訂正データが記録される第３領域（ＱＲコード（登録商標）の規格で規定された通常の誤り訂正データ記録領域）と、第３領域のデータによって誤り訂正がされる領域として構成され且つ画像領域１２１（図２０（Ａ））の画像を所定の方式で拡大又は縮小した画像が表される第４領域１２１（図２０（Ｂ））と、を設けた形で新たな情報コードの内部構成を決定している。
【０１１４】
また、図２０（Ｂ）のように、変更指示に応じた大きさの新たな情報コードを生成する場合には、変更指示に基づいて当該新たな情報コードでの誤り訂正率を決定している。例えば、図２０（Ａ）の情報コードでの誤り訂正率よりも、図２０（Ｂ）の情報コードでの誤り訂正率のほうが大きくなるように誤り訂正を高め、より広い範囲の誤りを訂正できるようにしている。そして、新たに設定された誤り訂正率にて訂正できる範囲で画像領域１２１を再構成している。この場合、変更後に設定される画像領域１２１の誤りを訂正できるレベルに誤り訂正率を変更すればよく、変更前の誤り訂正率でも変更後の画像領域１２１の誤りを訂正できる場合にはそのまま変更しなくてもよい。
【０１１５】
また、図２０（Ｂ）のように、変更指示に応じた大きさの新たな情報コードを生成する場合には、図２０（Ａ）のような変更前の情報コードに元々記録されていた解読対象データと、その解読対象データとは異なる所定のダミーデータと、を含んだデータを記録する形で第２領域を構成している。本構成では、図２０（Ａ）で示す変更前の情報コード２００では、「△△を開発しました・・・」という解読対象データが記録されており、図２０（Ｂ）のようにサイズを大きくした情報コードでも「△△を開発しました・・・」という同一のデータを記録しているが、サイズを大きくした情報コードでは、「△△を開発しました・・・」という同一データだけではセル配列領域が余ってしまうことになる。そこで、このような余りを埋めるように、「△△を開発しました・・・」という元々の解読対象データ以外に、所定の文字を並べたダミーデータを配列している。これにより、変更後の情報コード２００（図２０（Ｂ））において、特定パターン記録領域、画像領域、フォーマットデータの記録領域、解読対象データの記録領域、誤り訂正データ記録領域などの領域以外で空いた領域を、ダミーデータの記録領域として埋めている。
【０１１６】
なお、本構成では、画像の縮小処理も可能である。例えば、「倍率」が８０％であれば、「画像としての拡大・縮小」又は「内部画像を最大限に拡大」のいずれかが選択された場合、図２０（Ａ）のように既に表示されている情報コードのサイズに対し、縦の長さを８０％に縮小し、横の長さを８０％に縮小するように情報コードを縮小することになる。例えば、「倍率」が１００％よりも小さい値が指定された状態で「画像としての拡大・縮小」が選択された場合には、縮小前の情報コードと縮小後の情報コードが相似形となるようにコード全体として一体的に縮小する。一方、「倍率」が１００％よりも小さい値が指定された状態で「内部画像を最大限に拡大」が選択された場合には、サイズ縮小指示の前に表示部６に表示されていた情報コード（例えば図２０（Ａ））での情報コード全体に対する画像領域の割合よりも、サイズ縮小指示の後に表示部６に表示されていた情報コードでの情報コード全体に対する画像領域の割合のほうが大きくなるように変更する。
【０１１７】
（本構成の効果の例）
本構成でも、第１実施形態と同様の効果が得られる。
更に、本構成によれば、変更前後のいずれの情報コードにおいても、画像が表示される領域を、誤り訂正データによって誤り訂正がなされる領域として表すことができる。よって、画像領域の分を誤り訂正データによって訂正するという既存の思想を生かしつつ、画像領域の割合を変更するという斬新な表示変更が可能となる。
【０１１８】
また、本構成では、生成部は、変更指示に応じた大きさの新たな情報コードを生成する場合に、変更指示に基づいて当該新たな情報コードでの誤り訂正率を決定する誤り訂正率決定部を備えている。そして、構造決定部は、変更指示に基づいて誤り訂正率決定部によって決定された誤り訂正率に従って、新たな情報コードでの内部構成を決定している。
このように、変更指示に応じて新たな情報コードを生成する際に誤り訂正率を新たに決定できる構成とすれば、誤り訂正率が変更前の構成に拘束されない形で、自由度の大きい且つ細かな調整が可能となる。
【０１１９】
また、本構成では、構造決定部は、変更指示に応じて当該変更指示の前に表示部に表示されていた情報コードとは異なる大きさの新たな情報コードを生成する場合に、解読対象データと、解読対象データとは異なる所定のダミーデータと、を含んだデータを記録する形で第２領域を構成する。この構成によれば、大きさの変更によって空いたスペース（画像領域でもなく、解読対象データの記録領域でもない空いたスペース）が生じる場合であっても、そのスペースをダミーデータで埋めて体裁を整え、意匠性の低下を防ぐことができる。
【０１２０】
［第３実施形態]
次に、第３実施形態について説明する。
第３実施形態の情報コード利用システムも、ハードウェア構成については第１実施形態と同一であり、上述した図１、図２のような構成が用いられる。
【０１２１】
第３実施形態の情報コード利用システムでは、情報コード表示装置２（図１等参照）により図２２（Ｂ）のような情報コード３００を生成する。この構成でも、コード領域の内部に、予め定められた形状の特定パターン（Ｌ字状のアライメントパターン３０４ａ及び明色セルと暗色セルが１セルずつ交互に配置され、コード領域の境界に沿ったＬ字状の領域を構成するタイミングパターン（タイミングセル）３０４ｂ）が配置される特定パターン領域と、複数種類のセルによってデータを記録するデータ記録領域とを設け、コード領域の内部において、特定パターン領域以外の位置に、データ記録領域にデータを記録する方法とは異なる方法で、データの記録又はデザインの表示の少なくともいずれかが可能となる空き領域３１０を、単一のセルのサイズよりも大きい所定サイズで設けている。
【０１２２】
この構成では、空き領域３１０の構成以外は、公知のデータマトリックスコードとして構成されており、まず、図２２（Ａ）のように、コード領域の内部に、特定パターン領域と、データ記録領域と、複数種類のセルによって誤り訂正符号を記録する誤り訂正符号記録領域とを設けている。なお、データ記録領域でのデータコードワードの記録方法及び誤り訂正符号記録領域での誤り訂正コードワードの記録方法は公知のデータマトリックスコードと同様であり、コード領域内のアライメントパターン３０４ａやタイミングパターン３０４ｂの配置、データ記録領域におけるデータコードワードの配置、誤り訂正符号記録領域での誤り訂正コードワードの配置は、例えばＥＣＣ２００バージョンに従って定められている。
【０１２３】
但し、図２２（Ａ）のように、一部領域のコードワードを、白セルのみによって表現されるコードワードとして構成した情報コード３００’を生成し、このように白セルのみによって表現される領域ＡＲを空き領域３１０として、図２２（Ｂ）のように、この空き領域３１０内に画像領域１２１を設けている。図２２（Ｂ）のように空き領域３１０に画像領域１２１を設ける場合、図２２（Ａ）のような本来のデータ表示とは異なった構成になるが、この空き領域３１０でのデータの誤りは、誤り訂正符号記録領域に記録された誤り訂正符号を用いて公知の誤り訂正を行えばよい。
【０１２４】
また、図２２（Ｂ）に示す情報コード３００では、空き領域３１０の位置が予め特定されるため、空き領域３１０内にデザインや情報を付加して表示する場合にはこの表示による誤り位置が予め分かっていることになる。従って、空き領域３１０の位置を誤り位置として消失訂正を行うように誤り訂正符号記録領域の誤り訂正符号を構成することもできる。この場合、空き領域３１０の位置を示す情報を予めデータ記録領域に記録しておいたり、或いは、予め読取装置１０（図１）内に記憶しておくことで、読取時に読取装置１０が空き領域３１０の位置（即ち、誤りが生じているデータコードワードの位置）を特定することができるようになり、読取装置１０は、このように位置が特定された空き領域３１０に存在するデータコードワードの誤りを訂正するように、誤り訂正符号記録領域に記録された誤り訂正符号を用いて消失訂正を行うようにすればよい。
【０１２５】
また、図２２のように既存のデータマトリックスコードの一部を空き領域３１０として構成する場合、データ記録領域に記録されるデータにおいて、図２１と同様の識別情報を含ませておけばよい。また、識別情報の例はこの例に限られるものではなく、例えば専用のコードワードを用いるようにしてもよい。データマトリックスコードの仕様として、例えば、０〜１２８をＡＳＣＩＩ文字、２３３を連結モードなどとして定めている場合、「２３４」を画像認識用の特別なコードワードとして新たに定めるようにしてもよい。このような例では、データ記録領域のデータに「２３４」のコードワードが含まれている場合に、画像領域１２１の画像認識処理を行えばよい。
【０１２６】
そして、このように構成される情報コード３００においても、第１、第２実施形態と同様の方法（図１０等参照）で表示処理を行うことができる。また、この情報コード３００に対する表示処理（例えば、コードサイズの変更処理など）においては、第２実施形態と同様の思想を適用することができる。
【０１２７】
［他の実施形態］
本発明は上記記述及び図面によって説明した実施形態に限定されるものではなく、例えば次のような実施形態も本発明の技術的範囲に含まれる。
【０１２８】
第１実施形態等では、情報コード１００内に、情報入力領域の位置を示す位置データ（例えば、図３に示す画像領域位置情報など）を含ませるようにしていたが、このような例に限られない。例えば、情報コード表示装置２が、空き領域において予め定められた所定位置に画像領域を配置するように情報コードを生成する構成であってもよい。この場合、所定位置を特定する情報（図３に示す画像領域位置情報などの情報）が記憶部５に記憶されていればよい。また、この場合、情報コード読取装置１０には、情報コード表示装置２と同様、所定位置を特定する特定情報（図３に示す画像領域位置情報などの情報）をメモリ３５に記憶しておけばよい。そして、情報コード読取装置１０では、図９のＳ４５において、メモリ３５からこのような特定情報を読み出して情報入力領域を特定した上で、それ以降の処理を行えばよい。また、この場合、図３に示す画像領域位置情報は、ヘッダデータに含めなくてもよい。
【０１２９】
本発明は、上述した表示処理を行うためのコンピュータ読取可能なプログラムとして構成することもできる。また、上述した表示処理を行うためのプログラムを記録した記録媒体として構成することもできる。
【０１３０】
図１等の構成では、情報コード表示装置２と情報コード読取装置１０が別々の装置として構成された例を示しているが、情報コード表示装置２が情報コード読取装置１０として構成されていてもよい。また、情報コード表示装置２が、複数の装置によって構成されていてもよく、情報コード読取装置１０が複数の装置によって構成されていてもよい。
【０１３１】
上記実施形態では、コード領域の中央部に空き領域１１０（画像領域１２１）を設けた例を示したが、空き領域１１０の配置はこの例に限られない。例えば、コード領域の周縁付近に空き領域を設け、この領域を画像領域１２１としてもよい。また、画像領域のデザインとしては、図形、模様、色彩又はこれらの結合からなる構成であれば他の様々なデザインを採用することができる。また、デザインに代えて、或いはデザインと共に情報を表示する場合、その情報の内容は様々である。
【０１３２】
上記実施形態では、他種コードとしてＱＲコードを例に挙げ、情報コード１００で用いる特定パターンとしてＱＲコードの特定パターンを例に挙げたが、これ以外の種類の二次元コードを用いてもよい。例えば、他種コードとしてデータマトリックスコードを用い、情報コード１００で用いる特定パターンをデータマトリックスコードの特定パターンとしてもよい。
【０１３３】
上記実施形態では、「コード領域」の一例を示したが、「コード領域」は、情報コードを構成する複数種類のセルを全て含む最小の正方形領域又は長方形領域であればよく、コード領域の内縁部の一部にセルが配列されていなくてもよい。例えば、図２３の情報コード８００ように、空き領域８１０がコード領域の周縁部に隣接して形成されていてもよい。この場合、情報コード８００を構成する複数種類のセルを全て含む最小の正方形領域又は長方形領域は、一点鎖線ＡＲのようになり、空き領域８１０の外縁は、例えば二点鎖線ＡＲ２のようになる。また、認識対象となる画像領域はコード領域内に少なくとも一部が存在すればよく、図２４の画像領域ＡＲ３ように、残余の部分がコード領域外に存在するような構成であってもよい。図２４のような例では、予め画像領域ＡＲ３がどのような範囲になるかを特定する情報をデータ記録領域に記録しておけばよい。
【０１３４】
上記実施形態では、コード領域内を構成する複数種類のセルとして、白色セルなどの明セルと黒色セルなどの暗セルを例示したが、コード領域内の特定パターン領域、データ記録領域、誤り訂正符号記録領域が、所定の濃度、輝度、色彩の第１種セルと、この第１種セルとは濃度、輝度、色彩のいずれかが異なる第２種セルに構成されていてもよい。或いは、コード領域内の特定パターン領域、データ記録領域、誤り訂正符号記録領域が、濃度、輝度、色彩のいずれかがそれぞれ異なる三種類以上のセルによって構成されていてもよい。
【０１３５】
上記実施形態では、コード領域内の特定パターン領域、データ記録領域、誤り訂正符号記録領域において、外形が正方形状のセルを複数配列した例を示したが、各セルの外形は正方形以外の四角形であってもよく、四角形以外の多角形や、円形、楕円形などの図形であってもよい。
【０１３６】
上記実施形態では、特定パターンの例として位置検出パターン１０４、タイミングパターン１０６、アライメントパターン１０８などを例示したが、データ記録領域及び誤り訂正符号記録領域の内容に関係なく固定のパターンとして構成される領域であれば、特定パターンを構成する図形は他の固有図形であってもよい。
【０１３７】
上記実施形態では、空き領域の一例を示したが、空き領域は、セルによって解読対象データが記録されない領域であり、データ記録領域にデータを記録する方法とは異なる方法で情報の表示又は画像の表示がなされる領域であればよい。例えば、第１実施形態のように、コードワードが全く配置されない領域として空き領域が構成されていてもよく、公知のＱＲコードなどにおいて、誤り訂正符号を表現する誤り訂正コードワードや解読対象データを表現するデータコードワードが配置されず、埋め草コードワードが配置される領域を空き領域としてもよい。また、いずれの空き領域の場合でも、「セルによってデータ記録領域にデータを記録する方法とは異なる方法で情報の表示」を行うことができ、この情報の表示は、上記実施形態で例示される情報のほか、例えば、文字、数字、その他の記号などによるその他の情報であってもよく、商標などによって特定の商品やサービスを表すような情報の表示方法であってもよい。また、空き領域では、「セルによってデータ記録領域にデータを記録する方法とは異なる方法では画像の表示」を行うことができ、この画像の表示は、上記実施形態で例示される画像のほか、様々な形状、模様、色彩、それらの結合などを表すことができる。
【０１３８】
また、図２５の情報コード９００のように構成してもよい。この例は、第１実施形態と同様の空き領域を設ける構成であるが、空き領域の特定のみが第１実施形態と異なっている。なお、図２５の例では、一部の特定パターン以外の領域の具体的内容は省略して示しており、実際は、空き領域９１０外の外部領域に明色セルや暗色セルが配置されることになる。また、空き領域９１０内は、例えば第１実施形態の空き領域１１０と同様の画像、或いは他の実施形態の空き領域と同様の画像が表示される。
本構成でも、情報コード９００の種別において複数の型番が用意されており、型番毎にセルの行数及び列数、特定パターンの形状及び位置、フォーマット情報の位置、コードワードの候補位置（アドレス）が予め定められている。そして、表示装置２が情報コード９００を生成する際には、型番情報をコード領域内の決められた位置（図２５の例では予約領域１０７）に配置するようになっている。従って、読取装置１０が情報コード９００を読み取る際には、情報コード９００のコード画像を解析し、所定位置に配置された型番情報を読み取ることで、情報コード９００のセルの行数及び列数、特定パターンの形状及び位置、フォーマット情報の位置、コードワードの候補位置（アドレス）を把握できることになる。
情報コード９００を生成する際には、予め用意された複数の型番の中からいずれかの型番を選択する。これにより、コード領域内の基本構成（特定パターン１０４の位置、セルの行数及び列数、コードワードの候補位置）が決定する。例えば、図２５に示す構成の型番では、２９行２９列のセル配列となっており、予め定められた３つの角部に、ＱＲコード（登録商標）の切り出しシンボルと同一の構造の特定パターン１０４が配置されるようになっている。そして、特定パターン１０４の近くの所定位置に、フォーマット情報を記録する領域（所定位置１０５）が設けられている。また、２９行２９列のマトリックス領域において、特定パターン１０４及び所定位置１０５以外の位置に、予めコードワードの候補位置が定められており、各候補位置に０〜６７までのアドレスが割り当てられている。このように、型番に対応する構成で予めコード領域内の構成が規定されているため、型番が特定されれば、どの順番のコードワードがどの位置に配置されるかを特定することが可能となる。なお、決定した型番の情報は、その型番の配列において予め定められた固定位置に記録される。例えば図２５の例では、所定種類のハッチングで特定される領域１０７に型番の情報が記録されるようになっている。
そして、型番が決定し、コード領域内の基本構成が決定した後には、空き領域の形状及び位置を決定する。空き領域の形状の決定方法は、例えば、予め用意された複数の候補形状の中から選定する方式で決定してもよく、或いは、情報コード表示装置２に対して外部から入力された形状指定情報に従った形状に設定する方式で決定してもよい。或いは、決められた固定形状のみに決定してもよい。また、空き領域の位置については、予め決められた固定位置に決定してもよく、ユーザが位置を指定する情報を入力することで、その位置に決定するようにしてもよい。
そして、空き領域が決定した後には、決定された空き領域の位置から外れるコードワードの候補位置に、データ記録領域のコードワード及び誤り訂正符号記録領域のコードワードをそれぞれ配置する構成で情報コード９００を生成する。例えば、図２５のような構成の型番では、３つの角部に特定パターン１０４が配置され、これら特定パターン１０４の位置を基準として、０〜６７の番号が付された６８個のコードワードの候補位置が予め規定されている。このようなレイアウトにおいて、図２５のように空き領域９１０が決定した場合、少なくとも一部が空き領域９１０内に入るコードワードの候補位置を配置対象位置から除外し、その除外されたコードワードの位置を飛ばすようにして、順番にコードワードを配置する。例えば、図２５の例では、５０、５１番、５３、５４番、６０〜６７番のコードワードの候補位置に入り込むように空き領域９１０が設定されているため、これら５０、５１番、５３、５４番、６０〜６７番のコードワードの候補位置にはコードワードを配置しないようにする。即ち、０〜４９番の位置に順番にコードワードを配置した後、５０、５１番を飛ばして５２番の位置にコードワードを配置し、その後、５３、５４番を飛ばして５５〜５９番の位置にコードワードを順番に配置することになる。このようにすれば、解読対象データを符号化したデータコードワードと、誤り訂正符号を表す誤り訂正コードワードとを、空き領域９１０から外れた候補位置に確実に配置することができる。
このように特定パターン領域（特定パターン１０４やその他の特定パターンの領域）、フォーマット領域（所定位置１０５）、型番領域１０７、各コードワード領域などを決定した後には、空き領域９１０の具体的な内容を決定する。この情報コード９００でも、空き領域９１０に、空き領域１１０と同様の画像を表すことで、図１と同様の機能を有する情報コード９００を構成することができる。なお、情報コード９００の利用方法は第１実施形態やその他の実施形態と同様である。
【符号の説明】
【０１３９】
１…情報コード利用システム
２…情報コード表示装置
３…制御部（受付部、生成部、割合決定部、構成決定部、誤り訂正率決定部）
４…操作部（受付部）
６…表示部
１０…情報コード読取装置
１００…情報コード
１０２…セル
１０４…位置検出パターン（特定パターン）
１１０…空き領域（画像領域）
【図１】
0006358109.tif 000002
【図２】
0006358109.tif 000003
【図３】
0006358109.tif 000004
【図４】
0006358109.tif 000005
【図５】
0006358109.tif 000006
【図６】
0006358109.tif 000007
【図７】
0006358109.tif 000008
【図８】
0006358109.tif 000009
【図９】
0006358109.tif 000010
【図１０】
0006358109.tif 000011
【図１１】
0006358109.tif 000012
【図１２】
0006358109.tif 000013
【図１３】
0006358109.tif 000014
【図１４】
0006358109.tif 000015
【図１５】
0006358109.tif 000016
【図１６】
0006358109.tif 000017
【図１７】
0006358109.tif 000018
【図１８】
0006358109.tif 000019
【図１９】
0006358109.tif 000020
【図２０】
0006358109.tif 000021
【図２１】
0006358109.tif 000022
【図２２】
0006358109.tif 000023
【図２３】
0006358109.tif 000024
【図２４】
0006358109.tif 000025
【図２５】
0006358109.tif 000026